(57)【要約】【課題】カートリッジホルダーに対する着脱作業が容易になる複数のカートリッジを有するカートリッジセットを提供する。【解決手段】カートリッジホルダー２３に対して着脱可能であり、液体を収容可能な複数のカートリッジを有するカートリッジセット３０であって、カートリッジホルダーに装着された状態からの取り外しが、カートリッジホルダーとの間に設けられた第１の規制部によって規制される第１のカートリッジ（３１，３３，３５）と、カートリッジホルダーに装着された状態からの取り外しが、第１のカートリッジとの間に設けられた第２の規制部によって規制される第２のカートリッジ（３２，３４，３６）と、を有するカートリッジセット。【選択図】図３
2018062066.tif 000002
【特許請求の範囲】
【請求項１】
カートリッジホルダーに対して着脱可能であり、液体を収容可能な複数のカートリッジ
を有するカートリッジセットであって、
前記カートリッジホルダーに装着された状態からの取り外しが、前記カートリッジホル
ダーとの間に設けられた第１の規制部によって規制される第１のカートリッジと、
前記カートリッジホルダーに装着された状態からの取り外しが、前記第１のカートリッ
ジとの間に設けられた第２の規制部によって規制される第２のカートリッジと、
を有するカートリッジセット。
【請求項２】
前記第２のカートリッジを複数有し、
前記第１のカートリッジは、複数の前記第２のカートリッジのそれぞれとの間に前記第
２の規制部が設けられることを特徴とする請求項１に記載のカートリッジセット。
【請求項３】
複数の前記第２のカートリッジのうちの少なくとも２つの前記第２のカートリッジは、
前記カートリッジホルダーに対して前記第１のカートリッジを挟んで装着されることを特
徴とする請求項１または２に記載のカートリッジセット。
【請求項４】
前記第２の規制部は、前記第２のカートリッジの前記カートリッジホルダーからの取り
外しを規制する規制状態から前記カートリッジホルダーからの取り外しを許容する規制解
除状態に変位可能であり、
前記第１のカートリッジおよび前記第２のカートリッジの何れかに、前記第２の規制部
を前記規制状態から前記規制解除状態に変位させる操作部が設けられることを特徴とする
請求項１ないし３のいずれか一項に記載のカートリッジセット。
【請求項５】
前記カートリッジホルダーに装着された状態からの取り外しが、前記カートリッジホル
ダーに装着された状態の前記第２のカートリッジとの間に設けられた第３の規制部によっ
て規制される第３のカートリッジを有することを特徴とする請求項１ないし４のいずれか
一項に記載のカートリッジセット。
【請求項６】
前記第３の規制部は、前記第３のカートリッジの前記カートリッジホルダーからの取り
外しを規制する規制状態から前記カートリッジホルダーからの取り外しを許容する規制解
除状態に変位可能であり、
前記第２のカートリッジおよび前記第３のカートリッジの何れかに、前記第３の規制部
を前記規制状態から前記規制解除状態に変位させる操作部が設けられることを特徴とする
請求項５に記載のカートリッジセット。
【請求項７】
前記第２のカートリッジは、前記カートリッジホルダーに設けられた支持部によって、
前記カートリッジホルダーに装着された状態が支持される被支持部を有することを特徴と
する請求項１ないし６のいずれか一項に記載のカートリッジセット。
【請求項８】
カートリッジホルダーに対して着脱可能であり、液体をそれぞれ収容可能な第１のカー
トリッジと第２のカートリッジを有するカートリッジセットであって、
前記第１のカートリッジは、前記カートリッジホルダーに装着された状態からの取り外
しが、前記カートリッジホルダーとの間に設けられた第１の規制部によって規制されると
ともに、前記カートリッジホルダーに装着された状態からの前記第２のカートリッジの取
り外しを、前記第２のカートリッジとの間に設けられた第２の規制部によって規制するこ
とを特徴とするカートリッジセット。
【請求項９】
カートリッジホルダーに対して着脱可能であり、液体をそれぞれ収容可能な第１のカー
トリッジと第２のカートリッジを有するカートリッジセットであって、
前記第２のカートリッジは、前記カートリッジホルダーに装着された状態からの取り外
しが前記カートリッジホルダーとの間に設けられた第１の規制部によって規制される第１
のカートリッジとの間に設けられた第２の規制部によって、前記カートリッジホルダーに
装着された状態からの取り外しが規制されることを特徴とするカートリッジセット。
【発明の詳細な説明】
【技術分野】
【０００１】
本発明は、液体を収容可能なカートリッジを複数有するカートリッジセットに関する。
【背景技術】
【０００２】
従来から、液体噴射ヘッド（ヘッド）を搭載して往復移動するキャリッジに設けられた
カートリッジホルダー（ホルダー）に対して、液体を収容可能な複数のカートリッジを有
するカートリッジセットを着脱自在に備える液体噴射装置（プリンター）が知られている
。この液体噴射装置では、カートリッジホルダーに設けたレバーの一部に対してカートリ
ッジの一部を係止させることで、カートリッジをカートリッジホルダーに装着する一方、
そのレバーを係止解除方向に回動させることで、カートリッジをカートリッジホルダーか
ら取り外し可能としている（例えば、特許文献１参照）。
【先行技術文献】
【特許文献】
【０００３】
【特許文献１】特開２０１５−２７８０５号公報
【発明の概要】
【発明が解決しようとする課題】
【０００４】
ところで、カートリッジホルダーに装着されたカートリッジは、内部に収容している液
体が一定量を下回ると、新しいカートリッジと着脱交換する必要がある。こうした場合に
従来は、複数のカートリッジのそれぞれについて、対応して設けられたレバーをユーザー
が係止解除方向に回動させて旧いカートリッジを取り外した後、その位置に新しいカート
リッジをその一部がレバーの一部と係止する状態にして装着していた。
【０００５】
このため、カートリッジを交換する際に、ユーザーは、複数のカートリッジのそれぞれ
について、少なくともレバーの係止解除方向への回動作業を行う必要があり、カートリッ
ジの交換作業が面倒になっていた。したがって、複数のカートリッジをカートリッジホル
ダーに対して着脱する作業を、ユーザーが簡単に行えるカートリッジセットが望まれる。
【０００６】
本発明は、こうした実情に鑑みてなされたものであり、その目的は、カートリッジホル
ダーに対する着脱作業が容易になる複数のカートリッジを有するカートリッジセットを提
供することにある。
【課題を解決するための手段】
【０００７】
以下、上記課題を解決するための手段及びその作用効果について記載する。
上記課題を解決するカートリッジセットは、カートリッジホルダーに対して着脱可能で
あり、液体を収容可能な複数のカートリッジを有するカートリッジセットであって、前記
カートリッジホルダーに装着された状態からの取り外しが、前記カートリッジホルダーと
の間に設けられた第１の規制部によって規制される第１のカートリッジと、前記カートリ
ッジホルダーに装着された状態からの取り外しが、前記第１のカートリッジとの間に設け
られた第２の規制部によって規制される第２のカートリッジと、を有する。
【０００８】
この構成によれば、第１のカートリッジのカートリッジホルダーからの取り外しを規制
することによって、第２のカートリッジのカートリッジホルダーに装着された状態からの
取り外しを規制できる。したがって、複数のカートリッジを有するカートリッジセットの
カートリッジホルダーに対する着脱作業が容易になる。
【０００９】
上記カートリッジセットにおいては、前記第２のカートリッジを複数有し、前記第１の
カートリッジは、複数の前記第２のカートリッジのそれぞれとの間に前記第２の規制部が
設けられることが好ましい。
【００１０】
この構成によれば、第１のカートリッジのカートリッジホルダーからの取り外しを規制
することによって、複数の第２のカートリッジのカートリッジホルダーに装着された状態
からの取り外しを規制できる。したがって、複数の第２のカートリッジを有するカートリ
ッジセットのカートリッジホルダーに対する着脱作業が容易になる。
【００１１】
上記カートリッジセットにおいて、複数の前記第２のカートリッジのうちの少なくとも
２つの前記第２のカートリッジは、前記カートリッジホルダーに対して前記第１のカート
リッジを挟んで装着されることが好ましい。
【００１２】
この構成によれば、複数の第２のカートリッジのカートリッジホルダーに装着された状
態からの取り外しを、挟まれた第１のカートリッジによって安定して規制できる。
上記カートリッジセットにおいて前記第２の規制部は、前記第２のカートリッジの前記
カートリッジホルダーからの取り外しを規制する規制状態から前記カートリッジホルダー
からの取り外しを許容する規制解除状態に変位可能であり、前記第１のカートリッジおよ
び前記第２のカートリッジの何れかに、前記第２の規制部を前記規制状態から前記規制解
除状態に変位させる操作部が設けられることが好ましい。
【００１３】
この構成によれば、第１のカートリッジがカートリッジホルダーに装着された状態で、
第２のカートリッジをカートリッジホルダーから抜き取ることができるので、カートリッ
ジセットにおいて第２のカートリッジのカートリッジホルダー対する着脱作業が容易にな
る。
【００１４】
上記カートリッジセットにおいて前記カートリッジホルダーに装着された状態からの取
り外しが、前記カートリッジホルダーに装着された状態の前記第２のカートリッジとの間
に設けられた第３の規制部によって規制される第３のカートリッジを有することが好まし
い。
【００１５】
この構成によれば、第２のカートリッジのカートリッジホルダーからの取り外しを規制
することによって、第３のカートリッジのカートリッジホルダーに装着された状態からの
取り外しを規制できる。したがって、複数のカートリッジを有するカートリッジセットの
カートリッジホルダーに対する着脱作業が容易になる。
【００１６】
上記カートリッジセットにおいて前記第３の規制部は、前記第３のカートリッジの前記
カートリッジホルダーからの取り外しを規制する規制状態から前記カートリッジホルダー
からの取り外しを許容する規制解除状態に変位可能であり、前記第２のカートリッジおよ
び前記第３のカートリッジの何れかに、前記第３の規制部を前記規制状態から前記規制解
除状態に変位させる操作部が設けられることが好ましい。
【００１７】
この構成によれば、第２のカートリッジがカートリッジホルダーに装着された状態で、
第３のカートリッジをカートリッジホルダーから抜き取ることができるので、カートリッ
ジセットにおいて第３のカートリッジのカートリッジホルダー対する着脱作業が容易にな
る。
【００１８】
上記カートリッジセットにおいて前記第２のカートリッジは、前記カートリッジホルダ
ーに設けられた支持部によって、前記カートリッジホルダーに装着された状態が支持され
る被支持部を有することが好ましい。
【００１９】
この構成によれば、第２のカートリッジのカートリッジホルダーに装着された状態が安
定するので、第２のカートリッジの取り外しを規制する第１のカートリッジをカートリッ
ジホルダーに装着する際の作業が容易になる。
【００２０】
上記課題を解決するカートリッジセットは、カートリッジホルダーに対して着脱可能で
あり、液体をそれぞれ収容可能な第１のカートリッジと第２のカートリッジを有するカー
トリッジセットであって、前記第１のカートリッジは、前記カートリッジホルダーに装着
された状態からの取り外しが、前記カートリッジホルダーとの間に設けられた第１の規制
部によって規制されるとともに、前記カートリッジホルダーに装着された状態からの前記
第２のカートリッジの取り外しを、前記第２のカートリッジとの間に設けられた第２の規
制部によって規制することが好ましい。
【００２１】
この構成によれば、第１のカートリッジがカートリッジホルダーに装着される第２のカ
ートリッジのカートリッジホルダーからの取り外しを規制するので、カートリッジセット
のカートリッジホルダーに対する着脱作業が容易になる。
【００２２】
上記課題を解決するカートリッジセットは、カートリッジホルダーに対して着脱可能で
あり、液体をそれぞれ収容可能な第１のカートリッジと第２のカートリッジを有するカー
トリッジセットであって、前記第２のカートリッジは、前記カートリッジホルダーに装着
された状態からの取り外しが前記カートリッジホルダーとの間に設けられた第１の規制部
によって規制される第１のカートリッジとの間に設けられた第２の規制部によって、前記
カートリッジホルダーに装着された状態からの取り外しが規制されることが好ましい。
【００２３】
この構成によれば、第２のカートリッジのカートリッジホルダーに装着された状態から
の取り外しが、カートリッジホルダーに装着される第１のカートリッジによって規制され
るので、カートリッジセットのカートリッジホルダーに対する着脱作業が容易になる。
【図面の簡単な説明】
【００２４】
【図１】カートリッジホルダーを備える液体噴射装置の外観を示す斜視図。
【図２】カートリッジホルダーに装着された第１実施形態のカートリッジセットを示す平面図。
【図３】カートリッジホルダーに装着された第１実施形態のカートリッジセットを示す側面図。
【図４】カートリッジホルダーに装着された第１のカートリッジを示す正面図。
【図５】カートリッジホルダーから抜き取り中の第１のカートリッジを示す正面図。
【図６】カートリッジホルダーから取り外された第１のカートリッジを示す正面図。
【図７】カートリッジホルダーに装着された第２のカートリッジを示す正面図。
【図８】カートリッジホルダーから抜き取り可能な第２のカートリッジを示す正面図。
【図９】第２実施形態のカートリッジセットを示す正面図および側面図。
【図１０】第２実施形態のカートリッジセットの変形例を示す正面図および側面図。
【図１１】第３実施形態のカートリッジセットを示す正面図および側面図。
【図１２】第３実施形態のカートリッジセットの変形例を示す正面図および側面図。
【図１３】第４実施形態のカートリッジセットを示す正面図および側面図。
【図１４】第５実施形態のカートリッジセットを示す正面図および側面図。
【図１５】第６実施形態のカートリッジセットを示す正面図および側面図。
【図１６】第７実施形態のカートリッジセットを示す正面図および側面図。
【図１７】第７実施形態のカートリッジセットの変形例を示す正面図および側面図。
【図１８】第８実施形態のカートリッジセットを示す正面図および側面図。
【図１９】第９実施形態のカートリッジセットを示す正面図および側面図。
【図２０】第９実施形態のカートリッジセットの変形例を示す正面図および側面図。
【図２１】第９実施形態のカートリッジセットの変形例を示す正面図および側面図。
【図２２】第１０実施形態のカートリッジセットを示す正面図および側面図。
【図２３】第１０実施形態のカートリッジセットの変形例を示す正面図および側面図。
【図２４】カートリッジセットの構成部材に係る変形例を示す正面図および側面図。
【発明を実施するための形態】
【００２５】
以下、カートリッジから供給される液体を噴射する液体噴射装置およびそのカートリッ
ジを複数有するカートリッジセットの実施形態について図面を参照して説明する。なお、
以下の実施形態における液体噴射装置は、液体の一例であるインクを媒体の一例である用
紙に噴射することにより印刷を行うインクジェット式のプリンターで構成されている。ま
た、そのプリンターは、印刷方式が用紙の搬送方向と交差する主走査方向に沿って液体噴
射ヘッド（以下、「ヘッド」と略称する。）を移動させて印刷を行う、所謂シリアルヘッ
ド方式のプリンターである。
【００２６】
さらに、各図において示すＸＹＺ座標系は次のとおりとする。すなわち、Ｘ方向はヘッ
ドが取り付けられたキャリッジ（移動体）の移動方向（主走査方向）であり、液体噴射装
置の幅方向と一致する。また、Ｙ方向は液体噴射装置の奥行き方向であり、用紙の搬送方
向及び排出方向と一致する。また、Ｚ方向は鉛直方向であり、液体噴射装置の高さ方向と
一致する。そして、Ｚ方向については、装置上方側となる鉛直上方向を＋Ｚ方向とし、装
置下方側となる鉛直下方向を−Ｚ方向とする。また、Ｙ方向については、装置の奥側を＋
Ｙ方向とし、用紙が排出される装置の手前側を−Ｙ方向とする。そして、Ｘ方向について
は、装置を手前側から見た場合の左右方向で、装置の右側となる方向を＋Ｘ方向とし、装
置の左側となる方向を−Ｘ方向とする。
【００２７】
図１に示すように、液体噴射装置１１は左右方向（Ｘ方向）を長手方向とする直方体状
の筐体１２を有している。筐体１２における前面（−Ｙ方向側の面）の上部で左右方向の
略中央となる位置には、例えばタッチパネル方式の液晶表示画面を有する操作パネル１３
が設けられている。この操作パネル１３は、液体噴射装置１１における各種の動作を操作
するときに用いられる。なお、筐体１２の前面において手前側から見て操作パネル１３の
左側には電源ボタン１４が設けられている。
【００２８】
また、筐体１２の前面において操作パネル１３の下方となる位置には筐体１２の前面の
一部を構成する前面可動パネル１５が左右方向に沿う軸を中心にして回動可能に取り付け
られている。すなわち、前面可動パネル１５は、図１に示す閉じ位置と、その閉じ位置か
ら軸を中心にして上端部が前方へ傾動して水平になる開き位置との間で、筐体１２に対し
て開閉動作可能に設けられている。そして、この前面可動パネル１５が開き位置とされた
場合に、筐体１２内から図１に二点鎖線で示すように排出トレイ１６が引き出し可能とさ
れ、その排出トレイ１６上に用紙Ｐが排出可能とされる。
【００２９】
また、筐体１２の上面（＋Ｚ方向側の面）における後部側（＋Ｙ方向側）の端部には、
上面のほぼ全体を占める天板パネル１７と共に筐体１２の上面を構成する上面可動パネル
１８が左右方向に沿う軸を中心にして回動可能に取り付けられている。すなわち、この上
面可動パネル１８は、図１に示す閉じ位置と、その閉じ位置から軸を中心にして前端部が
後方へ傾動して鈍角に開いた状態となる開き位置（不図示）との間で、筐体１２に対して
開閉動作可能に設けられている。そして、この上面可動パネル１８が開き位置にある場合
に、図１において矢印Ａで示す向きで用紙Ｐが筐体１２内に給紙可能とされ、給紙された
用紙Ｐは印刷部２０へ搬送される。
【００３０】
また、図示は省略するが、筐体１２内における排出トレイ１６よりも下方位置には用紙
Ｐを積層状態にして収容可能な用紙収容部が設けられており、この用紙収容部は前面可動
パネル１５を開き位置にすることにより筐体１２内に着脱可能とされる。そして、用紙収
容部に収容された用紙Ｐは、用紙Ｐに印刷を行う印刷部２０へと搬送される。
【００３１】
印刷部２０は、搬送された用紙Ｐを下方から支持する支持部材（不図示）上を左右方向
（主走査方向）に往復移動可能なキャリッジ（移動体）２１を備えている。このキャリッ
ジ２１には、その下部において、下方へインク（液体）を噴射可能なヘッド２２が搭載さ
れている。また、キャリッジ２１には、その上部において、上方が開口した箱状のケース
体であって、その開口内に複数の液体収容体の一例であるカートリッジが着脱可能に装着
される装着部としてのカートリッジホルダー（以下、「ホルダー」と略称する。）２３が
備えられている。
【００３２】
本実施形態では、それぞれ略直方体形状を呈する６つのカートリッジ３１，３２，３３
，３４，３５，３６を有するカートリッジセット３０がホルダー２３に装着される。そし
て、各カートリッジ３１〜３６は、それぞれ主走査方向（Ｘ方向）に沿う方向が略直方体
形状の長手方向とされるとともに、液体噴射装置の奥行き方向であるＹ方向に並んだ状態
でホルダー２３に装着される。もとより、６つのカートリッジ３１，３２，３３，３４，
３５，３６はキャリッジ（移動体）２１の移動方向（主走査方向）であるＸ方向に並んだ
状態でホルダー２３に装着される態様であってもよい。
【００３３】
このようにホルダー２３に装着されるカートリッジセット３０において、６つのカート
リッジ３１〜３６は、ホルダー２３に対するユーザーの着脱作業が容易となるように構成
されている。以下、この構成に係る第１実施形態から第１０実施形態について、図を参照
して順次説明する。
【００３４】
（第１実施形態のカートリッジセット）
図２および図３に示すように、本実施形態のカートリッジセット３０は、ホルダー２３
に装着された状態からの取り外しがホルダー２３との間に設けられた第１の規制部によっ
て規制される第１のカートリッジとして、カートリッジ３１とカートリッジ３３とカート
リッジ３５とを有している。
【００３５】
すなわち、カートリッジ３１は、ホルダー２３に装着された状態で、その＋Ｘ方向の側
面から突出する略直方体形状の突起部３１ａと、ホルダー２３に設けられたフック形状の
レバー部２４（図４参照）とが、Ｚ方向視で重なるように係合し、ホルダー２３からの取
り外し方向となる＋Ｚ方向への移動が規制される。したがって、突起部３１ａとレバー部
２４とが第１の規制部として機能し、カートリッジ３１をホルダー２３に直接係止した状
態でホルダー２３内に保持する。この保持により、カートリッジ３１はホルダー２３に装
着された状態となる。
【００３６】
同様に、カートリッジ３３は、ホルダー２３に装着された状態で、その＋Ｘ方向の側面
から突出する略直方体形状の突起部３３ａと、ホルダー２３に設けられたフック形状のレ
バー部２４とが、Ｚ方向視で重なるように係合し、ホルダー２３からの取り外し方向とな
る＋Ｚ方向への移動が規制される。さらに、カートリッジ３５は、ホルダー２３に装着さ
れた状態で、その＋Ｘ方向の側面から突出する略直方体形状の突起部３５ａと、ホルダー
２３に設けられたフック形状のレバー部２４とが、Ｚ方向視で重なるように係合し、ホル
ダー２３からの取り外し方向となる＋Ｚ方向への移動が規制される。したがって、突起部
３３ａとレバー部２４、および突起部３５ａとレバー部２４が、それぞれ第１の規制部と
して機能し、カートリッジ３３，３５をホルダー２３に直接係止した状態でホルダー２３
内に保持する。この保持により、カートリッジ３３，３５はホルダー２３に装着された状
態となる。
【００３７】
また、本実施形態のカートリッジセット３０は、ホルダー２３に装着された状態からの
取り外しが第１のカートリッジとの間に設けられた第２の規制部によって規制される第２
のカートリッジとして、カートリッジ３２とカートリッジ３４とカートリッジ３６とを有
している。
【００３８】
すなわち、カートリッジ３２は、ホルダー２３に装着された状態で、同じくホルダー２
３に装着されたカートリッジ３１の上端部において、Ｘ方向に所定幅を有しＺ方向に所定
厚さを有して−Ｙ方向側に延出形成された庇部３１ｃによって、その上方の少なくとも一
部が覆われる。このため、カートリッジ３２は、その上面と庇部３１ｃとがＺ方向視で重
なるように係合し、ホルダー２３からの取り外し方向となる＋Ｚ方向への移動が規制され
る。換言すれば、カートリッジ３２の上面と庇部３１ｃとが第２の規制部として機能し、
カートリッジ３２をホルダー２３に直接係止しない状態でホルダー２３内に保持する。こ
の保持により、カートリッジ３２はホルダー２３に装着された状態となる。
【００３９】
同様に、カートリッジ３４は、ホルダー２３に装着された状態で、その上面とカートリ
ッジ３３の上端部において−Ｙ方向側に延出形成された庇部３３ｃとがＺ方向視で重なる
ように係合し、ホルダー２３からの取り外し方向となる＋Ｚ方向への移動が規制される。
さらに、カートリッジ３６は、ホルダー２３に装着された状態で、その上面とカートリッ
ジ３５の上端部において−Ｙ方向側に延出形成された庇部３５ｃとがＺ方向視で重なるよ
うに係合し、ホルダー２３からの取り外し方向となる＋Ｚ方向への移動が規制される。し
たがって、カートリッジ３４の上面と庇部３３ｃ、およびカートリッジ３６の上面と庇部
３５ｃが、それぞれ第２の規制部として機能し、カートリッジ３４，３６をホルダー２３
に直接係止しない状態でホルダー２３内に保持する。この保持により、この保持により、
カートリッジ３４，３６はホルダー２３に装着された状態となる。
【００４０】
なお、カートリッジ３１〜３６には−Ｘ方向の側面から突出する突出部３１ｂ〜３６ｂ
がそれぞれ設けられ、各カートリッジ３１〜３６がホルダー２３へ装着された状態で、突
出部３１ｂ〜３６ｂは、それぞれに対応してホルダー２３に設けられた穴部２５に挿入さ
れる。
【００４１】
また、各カートリッジ３１〜３６には、ホルダー２３へ装着された状態で、内部に収容
したインクを外部へ供給するインク供給部３９や、そのカートリッジに関する情報（例え
ば収容されているインクの液量などの情報）を記憶する記憶素子を有する回路基板Ｍが備
えられている（図４、図７参照）。
【００４２】
次に、このような構成を有するカートリッジセット３０の作用、すなわち第１のカート
リッジと第２のカートリッジのホルダー２３に対する着脱作業について説明する。ここで
は、第１のカートリッジとしてカートリッジ３１を、また第２のカートリッジとしてカー
トリッジ３２を、それぞれの代表例として、それらをホルダー２３に対して着脱する場合
について説明する。なお、ここで説明する第１のカートリッジと第２カートリッジの着脱
構造は、以降説明する各実施形態においても同様である。
【００４３】
まず図４に示すように、第１のカートリッジであるカートリッジ３１がホルダー２３に
装着された状態では、ホルダー２３側に設けられたインク受給部２９がカートリッジ３１
の下面に備えられたインク供給部３９に弾性変形しつつ接触する。この接触により、イン
クがカートリッジ３１からインク受給部２９に流入し、その後ヘッド２２に供給される。
また、ホルダー２３側に設けられた電気接続部２７がカートリッジ３１の下側斜面部に備
えられた回路基板Ｍの端子（図示せず）に弾性変形しつつ接触する。この接触により、電
気接続部２７と回路基板Ｍの端子とが電気的に接続され、インクの種類やインクの残量等
に関する情報が通信される。このような接触時に生ずるインク受給部２９や電気接続部２
７の弾性変形に伴う反力を受けて、カートリッジ３１は、鉛直上方（＋Ｚ方向）に向けて
付勢される。
【００４４】
そこで、本実施形態においては、ホルダー２３に装着されたカートリッジ３１は、＋Ｘ
方向側において、ホルダー２３のレバー部２４がカートリッジ３１の突起部３１ａと係合
することによりホルダー２３に直接係止され、鉛直上方（＋Ｚ方向）への移動が規制され
てホルダー２３内に保持（装着）される。一方、ホルダー２３に装着されたカートリッジ
３１は、その−Ｘ方向側において、突出部３１ｂがホルダー２３に設けられた穴部２５に
挿入されることによって、鉛直上方（＋Ｚ方向）および各カートリッジの並び方向（Ｙ方
向）への移動が規制される。
【００４５】
次に図５に示すように、ユーザーが、レバー部２４を図５において二点鎖線で示す状態
から実線で示す状態に指等を用いて撓めることによって、第１の規制部として機能する突
起部３１ａとレバー部２４との間のＺ方向視での重なりがなくなる。このため、第１の規
制部は＋Ｚ方向への移動が規制される規制状態から規制されない規制解除状態となり、ホ
ルダー２３に装着されたカートリッジ３１は、その＋Ｘ方向側が、インク受給部２９や電
気接続部２７の反力を受けて上方（＋Ｚ方向）へ持ち上がる。このときカートリッジ３１
は、その−Ｘ方向側の突出部３１ｂが穴部２５に挿入されているため、この穴部２５を支
点（支持点）として回転するように持ち上がる。すなわち、穴部２５はホルダー２３に設
けられたカートリッジ３１の支持部として機能し、突出部３１ｂは、ホルダー２３に装着
された状態が支持される被支持部として機能する。
【００４６】
次に、図６に示すように、第１の規制部の規制解除によって＋Ｘ方向側が＋Ｚ方向へ移
動可能となったカートリッジ３１は、ユーザーによって＋Ｚ方向へ持ち上げられる。この
ユーザーによる＋Ｚ方向への持ち上げに際してカートリッジ３１の−Ｘ方向側の突出部３
１ｂが穴部２５から抜き出され、カートリッジ３１は、ホルダー２３に装着された状態が
支持されなくなるために、ユーザーによってホルダー２３から＋Ｚ方向へ抜き取られる。
この抜き取りによって、カートリッジ３１はホルダー２３から取り外される。
【００４７】
なお、カートリッジ３１をホルダー２３に装着する作業は、取り外しの場合と逆の図６
、図５、図４に示す順序で行われる。すなわち、ユーザーがカートリッジ３１をホルダー
２３に装着する際には、レバー部２４を図５において二点鎖線で示す状態から実線で示す
状態に撓ませる必要がある。本実施形態では、ユーザーがレバー部２４を指等で＋Ｘ方向
に押して撓ませる。あるいは、カートリッジ３１をホルダー２３に挿入する際に、突起部
３１ａがレバー部２４の−Ｘ方向側の斜面と接触しつつ−Ｚ方向へ移動することによって
レバー部２４を＋Ｘ方向に押して撓ませる構成であってもよい。
【００４８】
一方、図７に示すように、第２のカートリッジであるカートリッジ３２がホルダー２３
に装着された状態では、カートリッジ３１と同様に、ホルダー２３側に設けられたインク
受給部２９がカートリッジ３２の下面に備えられたインク供給部３９に弾性変形しつつ接
触する。この接触により、インクがカートリッジ３２からインク受給部２９に流入し、そ
の後ヘッド２２に供給される。また、ホルダー２３側に設けられた電気接続部２７がカー
トリッジ３２の下側斜面部に備えられた回路基板Ｍに弾性変形しつつ接触する。この接触
により、電気接続部２７と回路基板Ｍとの間が電気的に接続され、インクの種類やインク
の残量等に関する情報が通信される。そのため、こうしたインク受給部２９や電気接続部
２７の弾性変形に伴う反力を受けて、カートリッジ３２は、鉛直上方（＋Ｚ方向）に向け
て付勢される。
【００４９】
そこで、本実施形態においては、ホルダー２３に装着されたカートリッジ３２は、＋Ｚ
方向側の上面の少なくとも一部が、ホルダー２３に装着されたカートリッジ３１の庇部３
１ｃによって覆われることにより、ホルダー２３から鉛直上方（＋Ｚ方向）への移動が規
制される。このように、カートリッジ３２は、ホルダー２３には直接係止されず、第１の
規制部によって保持(装着)されたカートリッジ３１を介してホルダー２３内に保持（装着
）される。なお、本実施形態では、カートリッジ３１と同様に、ホルダー２３に装着され
たカートリッジ３２は、その−Ｘ方向側において、突出部３２ｂがホルダー２３に設けら
れた穴部２５に挿入されることによって、鉛直上方（＋Ｚ方向）への移動が規制されてい
る。
【００５０】
次に図８に示すように、ユーザーがカートリッジ３１をホルダー２３から取り外した状
態では、カートリッジ３２の上面の少なくとも一部を覆っていたカートリッジ３１の庇部
３１ｃが取り除かれる。このため、第２の規制部として機能するカートリッジ３２の上面
と庇部３１ｃとの間のＺ方向視での重なりがなくなるため、第２の規制部は＋Ｚ方向への
移動が規制される規制状態から規制されない規制解除状態となる。この結果、ホルダー２
３に装着されたカートリッジ３２は、インク受給部２９や電気接続部２７の反力を受けて
、その−Ｘ方向側の突出部３１ｂが挿入された穴部２５を支持点として＋Ｚ方向側が上方
（＋Ｚ方向）へ持ち上がるように回転する。すなわち、穴部２５はホルダー２３に設けら
れた支持部として機能し、突出部３２ｂは、ホルダー２３に装着された状態が支持される
被支持部として機能する。
【００５１】
そして、＋Ｘ方向側が持ち上がったカートリッジ３２は、ユーザーによって＋Ｚ方向へ
持ち上げられ、この持ち上げに際してカートリッジ３２の−Ｘ方向側の突出部３２ｂが穴
部２５から抜き出される。したがって、カートリッジ３２は、ホルダー２３に装着された
状態が支持されなくなるために、ユーザーによってホルダー２３から＋Ｚ方向へ抜き取ら
れる。この抜き取りによって、カートリッジ３２は＋Ｚ方向を取り外し方向としてホルダ
ー２３から取り外される。
【００５２】
なお、カートリッジ３２をホルダー２３に装着する作業は、取り外しの場合と逆の図８
、図７に示す順序で行われる。すなわち、カートリッジ３２がホルダー２３に挿入された
後、ユーザーがカートリッジ３１をホルダー２３に装着する際に、同時にカートリッジ３
１の庇部３１ｃによってカートリッジ３２の上面が−Ｚ方向に押し付けられる。この庇部
３１ｃによる上面の押し付けによって、カートリッジ３２はホルダー２３に装着される。
【００５３】
したがって、本実施形態において、カートリッジ３１〜３６（カートリッジセット３０
）をホルダー２３から取り外す場合は、最初にレバー部２４を撓めて第１の規制部を規制
解除状態にして第１のカートリッジであるカートリッジ３１，３３，３５をホルダー２３
から取り外す。このカートリッジ３１，３３，３５の取り外しによって、ホルダー２３か
らの抜き取りが可能となった第２のカートリッジであるカートリッジ３２，３４，３６を
ホルダー２３から取り外す。
【００５４】
一方、本実施形態において、カートリッジ３１〜３６（カートリッジセット３０）をホ
ルダー２３に装着する場合は、取り外しとは反対に、最初に図７に示すように、第２のカ
ートリッジであるカートリッジ３２，３４，３６を、ホルダー２３に対して、その上方か
ら−Ｚ方向側に挿入する。その後、図４に示すように、第１のカートリッジであるカート
リッジ３１，３３，３５をホルダー２３の上方から−Ｚ方向側に挿入してホルダー２３に
装着する。この第１のカートリッジの装着と同時に第２のカートリッジがホルダー２３に
装着される。
【００５５】
上記第１実施形態によれば、以下のような効果を得ることができる。
（１）カートリッジ３１（第１のカートリッジ）のホルダー２３からの取り外しを規制
することによって、カートリッジ３２（第２のカートリッジ）のホルダー２３に装着され
た状態からの取り外しを規制できる。したがって、複数のカートリッジを有するカートリ
ッジセット３０のホルダー２３に対する着脱作業が容易になる。
【００５６】
（第２実施形態のカートリッジセット）
上記第１実施形態のカートリッジセットにおいては、カートリッジ３１がカートリッジ
３２のホルダー２３からの取り外しを規制するなど、１つの第１のカートリッジが１つの
第２のカートリッジのホルダー２３からの取り外しを規制した。これに対して、本実施形
態では、１つの第１のカートリッジが複数の第２のカートリッジのホルダー２３からの取
り外しを規制する。すなわち、第１のカートリッジは、複数の第２のカートリッジのそれ
ぞれとの間に第２の規制部が設けられる。
【００５７】
次に、本実施形態のカートリッジセット３０の構成について図を参照して説明する。な
お、ここでの説明において、第１実施形態と同じ構成については、図面に同符号を付して
その説明を適宜省略する。また、第２実施形態以降の各実施形態での説明において参照す
る図面においては、説明に対する理解を容易にするため、左側にカートリッジセット３０
の平面、右側にカートリッジセット３０の＋Ｘ方向から見た側面をそれぞれ図示している
。
【００５８】
図９に示すように、本実施形態のカートリッジセット３０は、その並び方向となるＹ方
向の両端に位置するカートリッジ３１とカートリッジ３６を、ホルダー２３に装着された
状態からの取り外しがホルダー２３との間に設けられた第１の規制部によって規制される
第１のカートリッジとして有している。そして、カートリッジ３１とカートリッジ３６と
の間に挟まれたカートリッジ３２，３３，３４，３５を、ホルダー２３に装着された状態
からの取り外しが第１のカートリッジとの間に設けられた第２の規制部によって規制され
る第２のカートリッジとして有している。そして、本実施形態では、カートリッジ３１が
２つのカートリッジ３２，３３に対してホルダー２３からの取り外しを規制し、カートリ
ッジ３６が２つのカートリッジ３２，３３に対してホルダー２３からの取り外しを規制す
る。
【００５９】
すなわち、カートリッジ３１は、ホルダー２３に装着された状態で、第１の規制部とし
て機能する突起部３１ａとレバー部２４とがＺ方向視で重なるように係合し、ホルダー２
３からの取り外し方向となる＋Ｚ方向への移動が規制される。同様に、カートリッジ３６
は、ホルダー２３に装着された状態で、第１の規制部として機能する突起部３６ａとレバ
ー部２４とがＺ方向視で重なるように係合し、ホルダー２３からの取り外し方向となる＋
Ｚ方向への移動が規制される。
【００６０】
カートリッジ３２とカートリッジ３３は、ホルダー２３に装着された状態で、同じくホ
ルダー２３に装着されたカートリッジ３１の上端部においてＸ方向に所定幅を有しＺ方向
に所定厚さを有して−Ｙ方向側に延出形成された庇部３１ｃによって、その上方の少なく
とも一部が覆われる。このため、カートリッジ３２は、Ｚ方向視で重なるように係合する
その上面と庇部３１ｃとが第２の規制部となり、ホルダー２３からの取り外し方向となる
＋Ｚ方向への移動が規制される。同じく、カートリッジ３３は、Ｚ方向視で重なるように
係合するその上面と庇部３１ｃとが第２の規制部となり、ホルダー２３からの取り外し方
向となる＋Ｚ方向への移動が規制される。
【００６１】
同様に、カートリッジ３４とカートリッジ３５は、ホルダー２３に装着された状態で、
同じくホルダー２３に装着されたカートリッジ３６の上端部において、Ｘ方向に所定幅を
有しＺ方向に所定厚さを有して＋Ｙ方向側に延出形成された庇部３６ｃによって、その上
方の少なくとも一部が覆われる。このため、カートリッジ３４は、Ｚ方向視で重なるよう
に係合するその上面と庇部３６ｃとが第２の規制部となり、ホルダー２３からの取り外し
方向となる＋Ｚ方向への移動が規制される。同じく、カートリッジ３５は、Ｚ方向視で重
なるように係合するその上面と庇部３６ｃとが第２の規制部となり、ホルダー２３からの
取り外し方向となる＋Ｚ方向への移動が規制される。
【００６２】
次に、このような構成を有する本実施形態の作用、すなわち第１のカートリッジと第２
のカートリッジのホルダー２３に対する着脱作業について説明する。なお、ここでは、第
１のカートリッジおよび第２のカートリッジをそれぞれ代表して、カートリッジ３１およ
びカートリッジ３２，３３の着脱作業について説明する。
【００６３】
本実施形態において、カートリッジ３１〜３３（カートリッジセット３０）をホルダー
２３から取り外す場合は、最初にレバー部２４を撓めて第１の規制部を規制解除状態にし
て第１のカートリッジであるカートリッジ３１をホルダー２３から取り外す。このカート
リッジ３１の取り外しによって、ホルダー２３からの抜き取りが可能となった第２のカー
トリッジであるカートリッジ３２，３３をホルダー２３から取り外す。
【００６４】
一方、本実施形態において、カートリッジ３１〜３３（カートリッジセット３０）をホ
ルダー２３に装着する場合は、取り外しとは反対に、最初に第２のカートリッジであるカ
ートリッジ３２，３３をホルダー２３に対してその上方から−Ｚ方向側に挿入する。その
後、第１のカートリッジであるカートリッジ３１をホルダー２３の上方から−Ｚ方向側に
挿入してホルダー２３に装着する。この第１のカートリッジの装着と同時に２つのカート
リッジ３２，３３がホルダー２３に装着される。
【００６５】
上記第２実施形態によれば、上記第１実施形態での効果（１）に加えて以下のような効
果を得ることができる。
（２）カートリッジ３１（第１のカートリッジ）のホルダー２３からの取り外しを規制
することによって、カートリッジ３２およびカートリッジ３３（複数の第２のカートリッ
ジ）のホルダー２３に装着された状態からの取り外しを規制できる。したがって、複数の
第２のカートリッジを有するカートリッジセット３０のホルダー２３に対する着脱作業が
容易になる。
【００６６】
なお、上記第２実施形態において、カートリッジ３１とカートリッジ３６に限らず、他
のカートリッジを第１のカートリッジとして採用してもよい。この第２実施形態の変形例
について図を参照して説明する。
【００６７】
図１０に示すように、本変形例のカートリッジセット３０は、その並び方向となるＹ方
向の中央に位置するカートリッジ３３とカートリッジ３４を、ホルダー２３に装着された
状態からの取り外しがホルダー２３との間に設けられた第１の規制部によって規制される
第１のカートリッジとして有している。そして、カートリッジ３３より＋Ｙ方向に位置す
るカートリッジ３１，３２と、カートリッジ３４より−Ｙ方向に位置するカートリッジ３
５，３６とを、ホルダー２３に装着された状態からの取り外しが第１のカートリッジとの
間に設けられた第２の規制部によって規制される第２のカートリッジとして有している。
そして、本実施形態では、カートリッジ３３が２つのカートリッジ３１，３２に対してホ
ルダー２３からの取り外しを規制し、カートリッジ３４が２つのカートリッジ３５，３６
に対してホルダー２３からの取り外しを規制する。
【００６８】
すなわち、カートリッジ３３は、ホルダー２３に装着された状態で、第１の規制部とし
て機能する突起部３３ａとレバー部２４とがＺ方向視で重なるように係合し、ホルダー２
３からの取り外し方向となる＋Ｚ方向への移動が規制される。同様に、カートリッジ３４
は、ホルダー２３に装着された状態で、第１の規制部として機能する突起部３４ａとレバ
ー部２４とがＺ方向視で重なるように係合し、ホルダー２３からの取り外し方向となる＋
Ｚ方向への移動が規制される。
【００６９】
カートリッジ３１とカートリッジ３２は、ホルダー２３に装着された状態で、同じくホ
ルダー２３に装着されたカートリッジ３３の上端部において、Ｘ方向に所定幅を有しＺ方
向に所定厚さを有して＋Ｙ方向側に延出形成された庇部３３ｃによって、その上方の少な
くとも一部が覆われる。このため、カートリッジ３１は、Ｚ方向視で重なるように係合す
るその上面と庇部３３ｃとが第２の規制部となり、ホルダー２３からの取り外し方向とな
る＋Ｚ方向への移動が規制される。同じく、カートリッジ３２は、Ｚ方向視で重なるよう
に係合するその上面と庇部３３ｃとが第２の規制部となり、ホルダー２３からの取り外し
方向となる＋Ｚ方向への移動が規制される。
【００７０】
同様に、カートリッジ３５とカートリッジ３６は、ホルダー２３に装着された状態で、
同じくホルダー２３に装着されたカートリッジ３４の上端部において、Ｘ方向に所定幅を
有しＺ方向に所定厚さを有して−Ｙ方向側に延出形成された庇部３４ｃによって、その上
方の少なくとも一部が覆われる。このため、カートリッジ３５は、Ｚ方向視で重なるよう
に係合するその上面と庇部３４ｃとが第２の規制部となり、ホルダー２３からの取り外し
方向となる＋Ｚ方向への移動が規制される。同じく、カートリッジ３６は、Ｚ方向視で重
なるように係合するその上面と庇部３４ｃとが第２の規制部となり、ホルダー２３からの
取り外し方向となる＋Ｚ方向への移動が規制される。
【００７１】
本変形例でのカートリッジセット３０の作用としての各カートリッジのホルダー２３に
対する取り外しおよび装着作業は、次のようになる。なお、ここでは、第１のカートリッ
ジおよび第２のカートリッジをそれぞれ代表して、カートリッジ３３およびカートリッジ
３１，３２の着脱作業について説明する。
【００７２】
本実施形態において、カートリッジ３１〜３３（カートリッジセット３０）をホルダー
２３から取り外す場合は、最初に、レバー部２４を撓めて第１の規制部を規制解除状態に
して第１のカートリッジであるカートリッジ３３をホルダー２３から取り外す。このカー
トリッジ３３の取り外しによって、ホルダー２３からの抜き取りが可能となった第２のカ
ートリッジであるカートリッジ３１，３２をホルダー２３から取り外す。
【００７３】
一方、本実施形態において、カートリッジ３１〜３３（カートリッジセット３０）をホ
ルダー２３に装着する場合は、取り外しとは反対に、最初に第２のカートリッジであるカ
ートリッジ３１，３２をホルダー２３に対してその上方から−Ｚ方向側に挿入する。その
後、第１のカートリッジであるカートリッジ３３をホルダー２３の上方から−Ｚ方向側に
挿入してホルダー２３に装着する。このカートリッジ３３の装着と同時に２つのカートリ
ッジ３１，３２がホルダー２３に装着される。
【００７４】
（第３実施形態のカートリッジセット）
上記第１実施形態および第２実施形態では、第１のカートリッジは、複数のカートリッ
ジの並び方向であるＹ方向において、その一方の側に位置する第２のカートリッジのホル
ダー２３からの取り外しを規制した。これに対して、第３実施形態のカートリッジセット
３０は、第１のカートリッジを挟んで装着される第２のカートリッジ、つまりＹ方向にお
いて第１のカートリッジの両方の側に位置する少なくとも２つの第２のカートリッジのホ
ルダー２３からの取り外しを規制する。
【００７５】
次に、本実施形態のカートリッジセット３０の構成について図を参照して説明する。な
お、ここでの説明において、第１実施形態と同じ構成については、図面に同符号を付して
その説明を適宜省略する。
【００７６】
図１１に示すように、本実施形態のカートリッジセット３０は、その並び方向となるＹ
方向において両側が他のカートリッジによって挟まれたカートリッジ３２とカートリッジ
３５を、ホルダー２３に装着された状態からの取り外しがホルダー２３との間に設けられ
た第１の規制部によって規制される第１のカートリッジとして有している。そして、カー
トリッジ３２をその間に挟むカートリッジ３１，３３、およびカートリッジ３５をその間
に挟むカートリッジ３４，３６を、ホルダー２３に装着された状態からの取り外しが第１
のカートリッジとの間に設けられた第２の規制部によって規制される第２のカートリッジ
として有している。すなわち、本実施形態では、カートリッジ３２が２つのカートリッジ
３１，３３に対してホルダー２３からの取り外しを規制し、カートリッジ３５が２つのカ
ートリッジ３４，３６に対してホルダー２３からの取り外しを規制する。
【００７７】
すなわち、カートリッジ３２は、ホルダー２３に装着された状態で、第１の規制部とし
て機能する突起部３２ａとレバー部２４とがＺ方向視で重なるように係合し、ホルダー２
３からの取り外し方向となる＋Ｚ方向への移動が規制される。同様に、カートリッジ３５
は、ホルダー２３に装着された状態で、第１の規制部として機能する突起部３５ａとレバ
ー部２４とがＺ方向視で重なるように係合し、ホルダー２３からの取り外し方向となる＋
Ｚ方向への移動が規制される。
【００７８】
カートリッジ３１とカートリッジ３３は、ホルダー２３に装着された状態で、同じくホ
ルダー２３に装着されたカートリッジ３２の上端部において、Ｘ方向に所定幅を有しＺ方
向に所定厚さを有して＋Ｙ方向と−Ｙ方向の両側に延出形成された庇部３２ｃによって、
その上方の少なくとも一部が覆われる。このため、カートリッジ３１は、Ｚ方向視で重な
るように係合するその上面と庇部３２ｃとが第２の規制部となり、ホルダー２３からの取
り外し方向となる＋Ｚ方向への移動が規制される。同じく、カートリッジ３３は、Ｚ方向
視で重なるように係合するその上面と庇部３２ｃとが第２の規制部となり、ホルダー２３
からの取り外し方向となる＋Ｚ方向への移動が規制される。
【００７９】
同様に、カートリッジ３４とカートリッジ３６は、ホルダー２３に装着された状態で、
同じくホルダー２３に装着されたカートリッジ３５の上端部において、Ｘ方向に所定幅を
有しＺ方向に所定厚さを有して＋Ｙ方向と−Ｙ方向の両側に延出形成された庇部３５ｃに
よって、その上方の少なくとも一部が覆われる。このため、カートリッジ３４は、Ｚ方向
視で重なるように係合するその上面と庇部３５ｃとが第２の規制部となり、ホルダー２３
からの取り外し方向となる＋Ｚ方向への移動が規制される。同じく、カートリッジ３６は
、Ｚ方向視で重なるように係合するその上面と庇部３５ｃとが第２の規制部となり、ホル
ダー２３からの取り外し方向となる＋Ｚ方向への移動が規制される。
【００８０】
次に、このような構成を有する本実施形態のカートリッジセット３０の作用として、第
１のカートリッジと第２のカートリッジのホルダー２３に対する着脱作業について説明す
る。なお、ここでは、第１のカートリッジおよび第２のカートリッジをそれぞれ代表して
、カートリッジ３２およびカートリッジ３１，３３の着脱作業について説明する。
【００８１】
本実施形態において、カートリッジ３１〜３３（カートリッジセット３０）をホルダー
２３から取り外す場合は、最初に、レバー部２４を撓めて第１の規制部を規制解除状態に
して第１のカートリッジであるカートリッジ３２をホルダー２３から取り外す。このカー
トリッジ３２の取り外しによって、ホルダー２３からの抜き取りが可能となった第２のカ
ートリッジであるカートリッジ３１，３３をホルダー２３から取り外す。
【００８２】
一方、本実施形態において、カートリッジ３１〜３３（カートリッジセット３０）をホ
ルダー２３に装着する場合は、取り外しとは反対に、最初に第２のカートリッジであるカ
ートリッジ３１，３３をホルダー２３に対してその上方から−Ｚ方向側に挿入する。その
後、第１のカートリッジであるカートリッジ３２をホルダー２３の上方から−Ｚ方向側に
挿入してホルダー２３に装着する。このカートリッジ３２の装着と同時に、カートリッジ
３２を挟む２つのカートリッジ３１，３３がホルダー２３に装着される。
【００８３】
上記第３実施形態によれば、上記第１実施形態での効果（１）および上記第２実施形態
での効果(２)に加えて以下のような効果を得ることができる。
（３）カートリッジ３１とカートリッジ３３（複数の第２のカートリッジ）のホルダー
２３に装着された状態からの取り外しを、挟まれたカートリッジ３２（第１のカートリッ
ジ）によって安定して規制できる。
【００８４】
なお、上記第３実施形態においては、カートリッジセット３０において、カートリッジ
３２とカートリッジ３５との２つのカートリッジを第１のカートリッジとしたが、これに
限らず、１つのカートリッジを第１のカートリッジとしてもよい。この第３実施形態の変
形例について図を参照して説明する。
【００８５】
図１２に示すように、本変形例のカートリッジセット３０は、Ｙ方向に並ぶ６つのカー
トリッジのうちの１つを第１のカートリッジとして有している。一例として、ここでは、
＋Ｙ方向側から３つ目に位置するカートリッジ３３を、ホルダー２３に装着された状態か
らの取り外しがホルダー２３との間に設けられた第１の規制部によって規制される第１の
カートリッジとして有している。そして、カートリッジ３３より＋Ｙ方向側に位置するカ
ートリッジ３１，３２と、カートリッジ３３より−Ｙ方向側に位置するカートリッジ３４
，３５，３６とを、ホルダー２３に装着された状態からの取り外しが第１のカートリッジ
との間に設けられた第２の規制部によって規制される第２のカートリッジとして有してい
る。したがって、本変形例では、カートリッジ３３が５つのカートリッジ３１，３２，３
４，３５，３６に対してホルダー２３からの取り外しを規制する。
【００８６】
すなわち、カートリッジ３３は、ホルダー２３に装着された状態で、第１の規制部とし
て機能する突起部３３ａとレバー部２４とがＺ方向視で重なるように係合し、ホルダー２
３からの取り外し方向となる＋Ｚ方向への移動が規制される。一方、カートリッジ３１と
カートリッジ３２は、ホルダー２３に装着された状態で、同じくホルダー２３に装着され
たカートリッジ３３の上端部において、Ｘ方向に所定幅を有しＺ方向に所定厚さを有して
＋Ｙ方向側に延出形成された庇部３３ｃによって、その上方の少なくとも一部が覆われる
。このため、カートリッジ３１，３２は、Ｚ方向視で重なるように係合するその上面と庇
部３３ｃとが第２の規制部となり、ホルダー２３からの取り外し方向となる＋Ｚ方向への
移動が規制される。同じく、カートリッジ３３，３５，３６は、Ｘ方向に所定幅を有しＺ
方向に所定厚さを有して−Ｙ方向側に延出形成された庇部３３ｃによって、その上方の少
なくとも一部が覆われる。このため、カートリッジ３４，３５，３６は、Ｚ方向視で重な
るように係合するその上面と庇部３３ｃとが第２の規制部となり、ホルダー２３からの取
り外し方向となる＋Ｚ方向への移動が規制される。
【００８７】
なお、本変形例でのカートリッジセット３０の作用としての各カートリッジ３１〜３６
のホルダー２３に対する取り外しおよび装着作業は、次のようになる。
本変形例において、カートリッジ３１〜３３（カートリッジセット３０）をホルダー２
３から取り外す場合は、最初に、レバー部２４を撓めて第１の規制部を規制解除状態にし
て第１のカートリッジであるカートリッジ３３をホルダー２３から取り外す。このカート
リッジ３３の取り外しによって、ホルダー２３からの抜き取りが可能となった第２のカー
トリッジである他の５つのカートリッジ３１，３２，３４，３５，３６をホルダー２３か
ら取り外す。
【００８８】
一方、本実施形態において、カートリッジ３１〜３３（カートリッジセット３０）をホ
ルダー２３に装着する場合は、取り外しとは反対に、最初に第２のカートリッジであるカ
ートリッジ３１，３２，３４，３５，３６をホルダー２３に対してその上方から−Ｚ方向
側に挿入する。その後、第１のカートリッジであるカートリッジ３３をホルダー２３の上
方から−Ｚ方向側に挿入してホルダー２３に装着する。このカートリッジ３３の装着と同
時に、カートリッジ３３を挟む＋Ｙ方向に位置するカートリッジ３１，３２、およびカー
トリッジ３３を挟む−Ｙ方向に位置するカートリッジ３４，３５，３６がホルダー２３に
装着される。
【００８９】
図１２に示す変形例によれば、１つのカートリッジ３３をホルダー２３から取り外すこ
とによって、他の５つのカートリッジ３１，３２，３４，３５，３６のホルダー２３から
の取り外しが可能な状態となる。また、１つのカートリッジ３３をホルダー２３との間に
設けられた第１の規制部によってホルダー２３に装着することによって、同時に他の５つ
のカートリッジ３１，３２，３４，３５，３６がホルダー２３に装着された状態になる。
【００９０】
（第４実施形態のカートリッジセット）
上記第１〜第３実施形態のカートリッジセット３０は、ホルダー２３からの取り外しが
ホルダー２３との間に設けられた第１の規制部によって規制される第１のカートリッジと
、ホルダー２３からの取り外しが、第１のカートリッジとの間に設けられた第２の規制部
によって規制される第２のカートリッジとを有している。これに対して、第４実施形態の
カートリッジセット３０は、ホルダー２３に装着された状態からの取り外しが、ホルダー
２３に装着された状態の第２カートリッジとの間に設けられた第３の規制部によって規制
される第３のカートリッジを有する。
【００９１】
次に、本実施形態のカートリッジセット３０の構成について図を参照して説明する。な
お、ここでの説明において、第１実施形態と同じ構成については、図面に同符号を付して
その説明を適宜省略する。
【００９２】
図１３に示すように、本実施形態のカートリッジセット３０は、ホルダー２３に装着さ
れた状態からの取り外しが、ホルダー２３との間に設けられた第１の規制部によって規制
される第１のカートリッジとして、カートリッジ３１とカートリッジ３４とを有している
。また、本実施形態のカートリッジセット３０は、ホルダー２３に装着された状態からの
取り外しが、第１のカートリッジとの間に設けられた第２の規制部によって規制される第
２のカートリッジとして、カートリッジ３２とカートリッジ３５を有している。さらに、
本実施形態のカートリッジセット３０は、ホルダー２３に装着された状態からの取り外し
が、第２のカートリッジとの間に設けられた第３の規制部によって規制される第３のカー
トリッジとして、カートリッジ３３とカートリッジ３６を有している。
【００９３】
すなわち、カートリッジ３１は、ホルダー２３に装着された状態で第１の規制部として
の突起部３１ａとレバー部２４とがＺ方向視で重なるように係合し、ホルダー２３からの
取り外し方向となる＋Ｚ方向への移動が規制される。また、カートリッジ３４は、ホルダ
ー２３に装着された状態で第１の規制部としての突起部３３ａとレバー部２４とがＺ方向
視で重なるように係合し、ホルダー２３からの取り外し方向となる＋Ｚ方向への移動が規
制される。
【００９４】
カートリッジ３２は、ホルダー２３に装着された状態で、第２の規制部としてのその上
面とカートリッジ３１に形成された庇部３１ｃとがＺ方向視で重なるように係合し、ホル
ダー２３からの取り外し方向となる＋Ｚ方向への移動が規制される。また、カートリッジ
３５は、ホルダー２３に装着された状態で、第２の規制部としてのその上面とカートリッ
ジ３４に形成された庇部３４ｃとがＺ方向視で重なるように係合し、ホルダー２３からの
取り外し方向となる＋Ｚ方向への移動が規制される。
【００９５】
さらに、本実施形態では、カートリッジ３３とカートリッジ３６を、ホルダー２３に装
着された状態からの取り外しが第２のカートリッジとの間に設けられた第３の規制部によ
って規制される第３のカートリッジとして有している。
【００９６】
すなわち、カートリッジ３３は、ホルダー２３に装着された状態で、同じくホルダー２
３に装着されたカートリッジ３２の上端部において、Ｘ方向に所定幅を有しＺ方向に所定
厚さを有して−Ｙ方向側に延出形成された庇部３２ｃによって、その上方の少なくとも一
部が覆われる。このため、カートリッジ３１は、Ｚ方向視で重なるように係合するその上
面と庇部３２ｃとが第３の規制部となり、ホルダー２３からの取り外し方向となる＋Ｚ方
向への移動が規制される。同じく、カートリッジ３６は、ホルダー２３に装着された状態
で、同じくホルダー２３に装着されたカートリッジ３５の上端部において、Ｘ方向に所定
幅を有しＺ方向に所定厚さを有して−Ｙ方向側に延出形成された庇部３５ｃによって、そ
の上方の少なくとも一部が覆われる。このため、カートリッジ３６は、Ｚ方向視で重なる
ように係合するその上面と庇部３２ｃとが第３の規制部となり、ホルダー２３からの取り
外し方向となる＋Ｚ方向への移動が規制される。
【００９７】
次に、このような構成を有する本実施形態のカートリッジセット３０の作用として、第
１のカートリッジと第２のカートリッジと第３のカートリッジのホルダー２３に対する着
脱作業について説明する。なお、ここでは、第１のカートリッジ、第２のカートリッジお
よび第３のカートリッジをそれぞれ代表して、カートリッジ３１、カートリッジ３２およ
びカートリッジ３３の着脱作業について説明する。
【００９８】
本実施形態において、カートリッジ３１〜３３（カートリッジセット３０）をホルダー
２３から取り外す場合は、最初に、レバー部２４を撓めて第１の規制部を規制解除状態に
して第１のカートリッジであるカートリッジ３１をホルダー２３から取り外す。このカー
トリッジ３１の取り外しによって、第２の規制部が規制解除状態となり、第２のカートリ
ッジであるカートリッジ３２がホルダー２３から抜き取り可能となる。そこで、次にホル
ダー２３からの抜き取りが可能となったカートリッジ３２をホルダー２３から取り外す。
このカートリッジ３２の取り外しによって、第３の規制部が規制解除状態となり、第３の
カートリッジであるカートリッジ３３がホルダー２３から抜き取り可能となる。そこで、
次にホルダー２３からの抜き取りが可能となったカートリッジ３３をホルダー２３から取
り外す。
【００９９】
一方、本実施形態において、カートリッジ３１〜３３（カートリッジセット３０）をホ
ルダー２３に装着する場合は、取り外しとは反対に、最初に第３のカートリッジであるカ
ートリッジ３３をホルダー２３に対してその上方から−Ｚ方向側に挿入する。その後、第
２のカートリッジであるカートリッジ３２をホルダー２３の上方から−Ｚ方向側に挿入す
る。そして、最後に、第１のカートリッジであるカートリッジ３１をホルダー２３に装着
する。このカートリッジ３１の装着と同時に、庇部３１ｃによってカートリッジ３２の上
面が押し込まれ、さらに庇部３２ｃによってカートリッジ３３の上面が押し込まれること
によって、カートリッジ３２，３３がカートリッジ３１と同時にホルダー２３に装着され
る。
【０１００】
上記第４実施形態によれば、上記第１実施形態での効果（１）および上記第２実施形態
での効果(２)に加えて以下のような効果を得ることができる。
（４）カートリッジ３２，３５（第２のカートリッジ）のホルダー２３からの取り外し
を規制することによって、カートリッジ３３，３６（第３のカートリッジ）のホルダー２
３に装着された状態からの取り外しを規制できる。したがって、複数のカートリッジを有
するカートリッジセット３０のホルダー２３に対する着脱作業が容易になる。
【０１０１】
（第５実施形態のカートリッジセット）
上記第１実施形態のカートリッジセットにおいては、例えば、第１のカートリッジに設
けられた庇部と第２のカートリッジの上面とが規制部（第１の規制部）として機能して第
２のカートリッジのホルダー２３からの取り外しを規制する構成である。これに対して第
５実施形態のカートリッジセット３０は、上面と庇部とは異なる構成の規制部によって、
各カートリッジのホルダー２３からの取り外しが規制される。
【０１０２】
次に、本実施形態のカートリッジセット３０の構成について図を参照して説明する。な
お、ここでの説明において、第１実施形態と同じ構成については、図面に同符号を付して
その説明を適宜省略する。
【０１０３】
図１４に示すように、本実施形態のカートリッジセット３０は、第１実施形態と同様、
ホルダー２３に装着された状態からの取り外しが、ホルダー２３との間に設けられた第１
の規制部によって規制される第１のカートリッジとして、カートリッジ３１とカートリッ
ジ３３とカートリッジ３５とを有している。
【０１０４】
そして、本実施形態のカートリッジセット３０は、ホルダー２３に装着された状態から
の取り外しが、第１のカートリッジとの間に設けられた第２の規制部によって規制される
第２のカートリッジとして、カートリッジ３２とカートリッジ３４とカートリッジ３６と
を有している。
【０１０５】
すなわち、カートリッジ３１には、その上部において、Ｘ方向に所定幅を有しＺ方向に
所定厚さを有して、−Ｙ方向側に鍔状に突出する凸部３１ｅが形成されている。一方、カ
ートリッジ３２には、その上部において、Ｘ方向に所定長さを有しＺ方向に所定長さを有
する凹部３２ｈが、ここではＹ方向に貫通する貫通孔として形成されている。そして、カ
ートリッジ３１がホルダー２３に装着された状態で、カートリッジ３２は、その凹部３２
ｈにカートリッジ３１の凸部３１ｅが挿入される。凹部３２ｈに挿入された凸部３１ｅは
、カートリッジ３２とＺ方向視で重なるように係合し、カートリッジ３２のホルダー２３
からの取り外し方向となる＋Ｚ方向へのカートリッジ３１に対する移動（相対移動）を規
制する。換言すれば、カートリッジ３１の凸部３１ｅとカートリッジ３２の凹部３２ｈと
が第２の規制部として機能する。
【０１０６】
同様に、カートリッジ３４は、ホルダー２３に装着された状態で、カートリッジ３４に
形成された凹部３４ｈに、カートリッジ３３の上部において−Ｙ方向側に鍔状に突出形成
された凸部３３ｅが挿入される。凹部３４ｈに挿入された凸部３３ｅは、カートリッジ３
４とＺ方向視で重なるように係合し、カートリッジ３４のホルダー２３からの取り外し方
向となる＋Ｚ方向へのカートリッジ３３に対する移動（相対移動）を規制する。換言すれ
ば、カートリッジ３３の凸部３３ｅとカートリッジ３４の凹部３４ｈとが第２の規制部と
して機能する。
【０１０７】
また、カートリッジ３６は、ホルダー２３に装着された状態で、カートリッジ３６に形
成された凹部３６ｈに、カートリッジ３５の上部において−Ｙ方向側に鍔状に突出形成さ
れた凸部３５ｅが挿入されている。凹部３６ｈに挿入された凸部３５ｅは、カートリッジ
３６とＺ方向視で重なるように係合し、カートリッジ３６のホルダー２３からの取り外し
方向となる＋Ｚ方向へのカートリッジ３５に対する移動（相対移動）を規制する。換言す
れば、カートリッジ３５の凸部３５ｅとカートリッジ３６の凹部３６ｈとが第２の規制部
として機能する。
【０１０８】
なお、本実施形態では、凹部３２ｈに挿入された凸部３１ｅ、凹部３４ｈに挿入された
凸部３３ｅおよび凹部３６ｈに挿入された凸部３５ｅは、カートリッジ３２、カートリッ
ジ３４およびカートリッジ３６のホルダー２３への装着時の挿入方向となる−Ｚ方向への
それぞれの移動（相対移動）も規制する。
【０１０９】
次に、このような構成を有する本実施形態のカートリッジセット３０の作用として、ホ
ルダー２３に対する第１のカートリッジと第２のカートリッジの着脱作業について説明す
る。なお、本実施形態での第１のカートリッジおよび第２のカートリッジの取り外し作業
は、上記第１実施形態の取り外し作業とは異なる。
【０１１０】
すなわち、本実施形態において、カートリッジ３１〜３６（カートリッジセット３０）
をホルダー２３から取り外す場合は、ユーザーがレバー部２４を＋Ｘ方向に撓ませること
によって、カートリッジ３１のホルダー２３との係止状態を解除し、カートリッジ３１を
ホルダー２３から抜き取る。このとき、カートリッジ３２は、その凹部３２ｈに挿入され
たカートリッジ３１の凸部３１ｅによってカートリッジ３１に対するＺ方向の移動（相対
移動）が規制されているため、カートリッジ３１と同時に（一緒に）抜き取られてホルダ
ー２３から取り外される。その後、凹部３２ｈから凸部３１ｅが抜き取られることで、カ
ートリッジ３１とカートリッジ３２は分離する。なお、カートリッジ３３とカートリッジ
３４との間、およびカートリッジ３５とカートリッジ３６との間についても、ホルダー２
３からの取り外し作業は同様であり、ここでは説明を省略する。
【０１１１】
一方、本実施形態において、カートリッジ３１〜３６（カートリッジセット３０）をホ
ルダー２３に装着する場合は、最初にカートリッジ３１の凸部３１ｅをカートリッジ３２
の凹部３２ｈに挿入してカートリッジ３１とカートリッジ３２とを合体する。そしてカー
トリッジ３２が合体したカートリッジ３１をホルダー２３の上方から−Ｚ方向側に挿入し
てレバー部２４と突起部３１ａとを係止させ、ホルダー２３に装着する。この装着により
、カートリッジ３１とカートリッジ３２とが同時にホルダー２３に装着される。なお、カ
ートリッジ３３とカートリッジ３４との間、およびカートリッジ３５とカートリッジ３６
との間についても、ホルダー２３への装着作業は同様であり、ここでは説明を省略する。
【０１１２】
上記第５実施形態によれば、上記第１実施形態での効果（１）に加えて以下のような効
果を得ることができる。
（５）カートリッジ３１（第１のカートリッジ）のホルダー２３に対する着脱作業によ
って同時に他のカートリッジ３２（第２のカートリッジ）のホルダー２３に対する着脱作
業を行うことが可能である。したがって、複数のカートリッジを有するカートリッジセッ
ト３０のホルダー２３に対する着脱作業が容易になる。
【０１１３】
（第６実施形態のカートリッジセット）
本実施形態のカートリッジセット３０は、上記第５実施形態において、上記第２実施形
態の変形例のカートリッジセット３０と同様の構成を備えたものである。本実施形態のカ
ートリッジセット３０の構成について図を参照して説明する。なお、ここでの説明におい
て、第２実施形態の変形例（図１０参照）と同じ構成については、図面に同符号を付して
その説明を適宜省略する。
【０１１４】
図１５に示すように、本実施形態のカートリッジセット３０は、その並び方向となるＹ
方向の中央に位置するカートリッジ３３とカートリッジ３４を、ホルダー２３に装着され
た状態からの取り外しがホルダー２３との間に設けられた第１の規制部によって規制され
る第１のカートリッジとして有している。そして、カートリッジ３３より＋Ｙ方向に位置
するカートリッジ３１，３２と、カートリッジ３４より−Ｙ方向に位置するカートリッジ
３５，３６とを、ホルダー２３に装着された状態からの取り外しが第１のカートリッジと
の間に設けられた第２の規制部によって規制される第２のカートリッジとして有している
。そして、本実施形態では、カートリッジ３３が２つのカートリッジ３１，３２に対して
ホルダー２３からの取り外しを規制し、カートリッジ３４が２つのカートリッジ３５，３
６に対してホルダー２３からの取り外しを規制する。
【０１１５】
すなわち、カートリッジ３３には、その上部において、Ｘ方向に所定幅を有しＺ方向に
所定厚さを有して＋Ｙ方向側に鍔状に突出する凸部３３ｅが形成されている。一方、カー
トリッジ３１，３２には、その上部において、Ｘ方向に所定長さを有しＺ方向に所定長さ
を有する凹部３１ｈ，３２ｈが、ここではＹ方向に貫通する貫通孔として形成されている
。そして、カートリッジ３３がホルダー２３に装着された状態で、カートリッジ３２，３
１は、その凹部３２ｈ，３１ｈにカートリッジ３３の凸部３３ｅが挿入されている。凹部
３２ｈ，３１ｈに挿入された凸部３３ｅは、カートリッジ３２，３１とＺ方向視で重なる
ように係合し、カートリッジ３２，３１のホルダー２３からの取り外し方向となる＋Ｚ方
向へのカートリッジ３３に対する移動（相対移動）を規制する。換言すれば、カートリッ
ジ３３の凸部３３ｅとカートリッジ３２，３１の凹部３２ｈ，３１ｈとが第２の規制部と
して機能する。
【０１１６】
同様に、カートリッジ３４には、その上部において、Ｘ方向に所定幅を有しＺ方向に所
定厚さを有して、−Ｙ方向側に鍔状に突出する凸部３４ｅが形成されている。一方、カー
トリッジ３５，３６には、その上部において、Ｘ方向に所定長さを有しＺ方向に所定長さ
を有する凹部３５ｈ，３６ｈが、ここではＹ方向に貫通する貫通孔として形成されている
。そしてカートリッジ３４がホルダー２３に装着された状態で、カートリッジ３５，３６
は、その凹部３５ｈ，３６ｈにカートリッジ３４の凸部３４ｅが挿入されている。凹部３
５ｈ，３６ｈに挿入された凸部３４ｅは、カートリッジ３５，３６とＺ方向視で重なるよ
うに係合し、カートリッジ３５，３６のホルダー２３からの取り外し方向となる＋Ｚ方向
へのカートリッジ３４に対する移動（相対移動）を規制する。換言すれば、カートリッジ
３４の凸部３４ｅとカートリッジ３５，３６の凹部３５ｈ，３６ｈとが第２の規制部とし
て機能する。
【０１１７】
なお、本実施形態では、凹部３２ｈ，３１ｈに挿入された凸部３３ｅ、および凹部３５
ｈ，３６ｈに挿入された凸部３４ｅは、カートリッジ３２，３１、およびカートリッジ３
５，３６のホルダー２３への装着時の挿入方向となる−Ｚ方向へのそれぞれの移動（相対
移動）も規制する。
【０１１８】
次に、このような構成を有する本実施形態のカートリッジセット３０の作用として、ホ
ルダー２３に対する第１のカートリッジと第２のカートリッジの着脱作業について説明す
る。なお、ここでは、第１のカートリッジおよび第２のカートリッジをそれぞれ代表して
、カートリッジ３３およびカートリッジ３１，３２の着脱作業について説明する。
【０１１９】
本実施形態において、カートリッジ３１〜３３（カートリッジセット３０）をホルダー
２３から取り外す場合は、ユーザーがレバー部２４を＋Ｘ方向に撓ませることによって突
起部３３ａとのＺ方向視での係合を解除する。この解除により、カートリッジ３３はホル
ダー２３との係止状態が解除されるので、ユーザーはカートリッジ３３をホルダー２３か
ら抜き取る。このとき、カートリッジ３３の凸部３３ｅが凹部３２ｈ，３１ｈに挿入され
たカートリッジ３２，３１は、凸部３３ｅによってカートリッジ３３に対するＺ方向の移
動（相対移動）が規制されているため、カートリッジ３１と同時に（一緒に）抜き取られ
てホルダー２３から取り外される。その後、凹部３１ｈ，３２ｈから凸部３３ｅが順次抜
き取られることで、カートリッジ３３からカートリッジ３１とカートリッジ３２はそれぞ
れ分離する。
【０１２０】
一方、本実施形態において、カートリッジ３１〜３３（カートリッジセット３０）をホ
ルダー２３に装着する場合は、最初にカートリッジ３３の凸部３３ｅをカートリッジ３２
の凹部３２ｈ、カートリッジ３１の凹部３１ｈに順次挿入してカートリッジ３３とカート
リッジ３２，３１とを合体する。そしてカートリッジ３２，３１が合体したカートリッジ
３３をホルダー２３の上方から−Ｚ方向側に挿入してレバー部２４と突起部３３ａとを係
止させ、ホルダー２３に装着する。このカートリッジ３３の装着により、カートリッジ３
２とカートリッジ３１とが同時にホルダー２３に装着される。
【０１２１】
上記第６実施形態によれば、上記第２実施形態での効果（２）に加えて以下のような効
果を得ることができる。
（６）カートリッジ３３（第１のカートリッジ）のホルダー２３に対する着脱作業によ
って同時に複数の他のカートリッジ３２，３１（第２のカートリッジ）のホルダー２３に
対する着脱作業を行うことが可能である。したがって、複数のカートリッジを有するカー
トリッジセット３０のホルダー２３に対する着脱作業が容易になる。
【０１２２】
（第７実施形態のカートリッジセット）
本実施形態のカートリッジセット３０は、上記第５実施形態において上記第３実施形態
のカートリッジセット３０と同様の構成を備えたものである。本実施形態のカートリッジ
セット３０の構成について図を参照して説明する。なお、ここでの説明において、第３実
施形態（図１１参照）と同じ構成については、図面に同符号を付してその説明を適宜省略
する。
【０１２３】
図１６に示すように、本実施形態のカートリッジセット３０は、その並び方向となるＹ
方向において両側が他のカートリッジによって挟まれたカートリッジ３２とカートリッジ
３５を、ホルダー２３に装着された状態からの取り外しがホルダー２３との間に設けられ
た第１の規制部によって規制される第１のカートリッジとして有している。そして、カー
トリッジ３２をその間に挟むカートリッジ３１，３３、およびカートリッジ３５をその間
に挟むカートリッジ３４，３６を、ホルダー２３に装着された状態からの取り外しが第１
のカートリッジとの間に設けられた第２の規制部によって規制される第２のカートリッジ
として有している。
【０１２４】
すなわち、カートリッジ３２には、その上部において、Ｘ方向に所定幅を有しＺ方向に
所定厚さを有して＋Ｙ方向側および−Ｙ方向側の双方に鍔状に突出する凸部３２ｅが形成
されている。一方、カートリッジ３１，３３には、その上部において、Ｘ方向に所定長さ
を有しＺ方向に所定長さを有する凹部３１ｈ，３３ｈが、ここではＹ方向に貫通する貫通
孔として形成されている。そして、カートリッジ３２がホルダー２３に装着された状態で
、カートリッジ３１，３３は、その凹部３１ｈ，３３ｈにカートリッジ３２の凸部３２ｅ
が挿入されている。凹部３１ｈ，３２ｈに挿入された凸部３２ｅは、カートリッジ３１，
３３とＺ方向視で重なるように係合し、カートリッジ３１，３３のホルダー２３からの取
り外し方向となる＋Ｚ方向へのカートリッジ３２に対する移動（相対移動）を規制する。
換言すれば、カートリッジ３２の凸部３２ｅとカートリッジ３１，３３の凹部３１ｈ，３
３ｈとが第２の規制部として機能する。
【０１２５】
同様に、カートリッジ３５には、その上部において、Ｘ方向に所定幅を有しＺ方向に所
定厚さを有して＋Ｙ方向側および−Ｙ方向側の双方に鍔状に突出する凸部３５ｅが形成さ
れている。一方、カートリッジ３４，３６には、その上部において、Ｘ方向に所定長さを
有しＺ方向に所定長さを有する凹部３４ｈ，３６ｈが、ここではＹ方向に貫通する貫通孔
として形成されている。そして、カートリッジ３５がホルダー２３に装着された状態で、
カートリッジ３４，３６は、その凹部３４ｈ，３６ｈにカートリッジ３５の凸部３５ｅが
挿入されている。凹部３４ｈ，３６ｈに挿入された凸部３５ｅは、カートリッジ３４，３
６とＺ方向視で重なるように係合し、カートリッジ３４，３６のホルダー２３からの取り
外し方向となる＋Ｚ方向へのカートリッジ３４に対する移動（相対移動）を規制する。換
言すれば、カートリッジ３５の凸部３５ｅとカートリッジ３４，３６の凹部３４ｈ，３６
ｈとが第２の規制部として機能する。
【０１２６】
なお、本実施形態では、凹部３１ｈ，３３ｈに挿入された凸部３２ｅ、および凹部３４
ｈ，３６ｈに挿入された凸部３５ｅは、カートリッジ３１，３３、およびカートリッジ３
４，３６のホルダー２３への装着時の挿入方向となる−Ｚ方向へのそれぞれの移動（相対
移動）も規制する。
【０１２７】
次に、このような構成を有する本実施形態のカートリッジセット３０の作用として、ホ
ルダー２３に対する第１のカートリッジと第２のカートリッジの着脱作業について説明す
る。なお、ここでは、第１のカートリッジおよび第２のカートリッジをそれぞれ代表して
、カートリッジ３２およびカートリッジ３１，３３の着脱作業について説明する。
【０１２８】
本実施形態において、カートリッジ３１〜３３（カートリッジセット３０）をホルダー
２３から取り外す場合は、ユーザーがレバー部２４を＋Ｘ方向に撓ませることによってカ
ートリッジ３２の突起部３２ａとのＺ方向視での係合を解除する。この解除により、カー
トリッジ３２はホルダー２３との係止状態が解除されるので、ユーザーはカートリッジ３
２をホルダー２３から抜き取る。このとき、カートリッジ３２の凸部３２ｅが凹部３１ｈ
，３３ｈに挿入されたカートリッジ３１，３３は、凸部３２ｅによってカートリッジ３２
に対するＺ方向の移動（相対移動）が規制されているため、カートリッジ３２と同時に（
一緒に）抜き取られてホルダー２３から取り外される。その後、凹部３１ｈ，３３ｈから
凸部３２ｅがそれぞれ抜き取られることで、カートリッジ３２からカートリッジ３１とカ
ートリッジ３３は分離する。
【０１２９】
一方、本実施形態において、カートリッジ３１〜３３（カートリッジセット３０）をホ
ルダー２３に装着する場合は、最初にカートリッジ３２の凸部３２ｅをカートリッジ３１
の凹部３１ｈ、カートリッジ３３の凹部３３ｈに挿入してカートリッジ３２とカートリッ
ジ３１，３３とを合体する。そしてカートリッジ３１，３３が合体したカートリッジ３２
をホルダー２３の上方から−Ｚ方向側に挿入してレバー部２４と突起部３２ａとを係止さ
せ、ホルダー２３に装着する。このカートリッジ３２の装着により、カートリッジ３１と
カートリッジ３３とが同時にホルダー２３に装着される。
【０１３０】
上記第７実施形態によれば、上記第３実施形態での効果（３）に加えて以下のような効
果を得ることができる。
（７）カートリッジ３１とカートリッジ３３（複数の第２のカートリッジ）のホルダー
２３に対する着脱作業を、挟まれたカートリッジ３２（第１のカートリッジ）によって容
易に行うことができる。
【０１３１】
上記第７実施形態の変形例として、上記第３実施形態の変形例（図１２参照)と同様に
、カートリッジセット３０において第１のカートリッジが１つである構成を有してもよい
。この第７実施形態の変形例のカートリッジセット３０の構成について図を参照して説明
する。なお、ここでの説明において、第７実施形態（図１６参照）と同じ構成については
、図面に同符号を付してその説明を適宜省略する。
【０１３２】
図１７に示すように、本変形例のカートリッジセット３０は、一例として、Ｙ方向に並
ぶ６つのカートリッジのうち、＋Ｙ方向側から４つ目に位置するカートリッジ３４を、ホ
ルダー２３に装着された状態からの取り外しがホルダー２３との間に設けられた第１の規
制部によって規制される第１のカートリッジとして有している。そして、カートリッジ３
４より＋Ｙ方向側に位置するカートリッジ３１，３２，３３と、カートリッジ３４より−
Ｙ方向側に位置するカートリッジ３５，３６とを、ホルダー２３に装着された状態からの
取り外しが第１のカートリッジとの間に設けられた第２の規制部によって規制される第２
のカートリッジとして有している。したがって、本変形例では、カートリッジ３４が５つ
のカートリッジ３１，３２，３３，３５，３６に対してホルダー２３からの取り外しを規
制する。
【０１３３】
すなわち、カートリッジ３４は、その上部において、Ｘ方向に所定幅を有しＺ方向に所
定厚さを有して＋Ｙ方向側および−Ｙ方向側の双方に鍔状に突出する凸部３４ｅが形成さ
れている。一方、カートリッジ３１，３２，３３，３５，３６には、その上部において、
Ｘ方向に所定長さを有しＺ方向に所定長さを有する凹部３１ｈ，３２ｈ，３３ｈ，３５ｈ
，３６ｈが、ここではＹ方向に貫通する貫通孔として形成されている。そして、カートリ
ッジ３４がホルダー２３に装着された状態で、カートリッジ３１，３２，３３，３５，３
６は、その凹部３１ｈ，３２ｈ，３３ｈ，３５ｈ，３６ｈにカートリッジ３４の凸部３４
ｅが挿入されている。凹部３１ｈ，３２ｈ，３３ｈ，３５ｈ，３６ｈに挿入された凸部３
４ｅは、カートリッジ３１，３２，３３，３５，３６とＺ方向視で重なるように係合し、
各カートリッジのホルダー２３からの取り外し方向となる＋Ｚ方向へのカートリッジ３４
に対する移動（相対移動）を規制する。換言すれば、カートリッジ３４の凸部３４ｅとカ
ートリッジ３１，３２，３３，３５，３６の凹部３１ｈ，３２ｈ，３３ｈ，３５ｈ，３６
ｈとが第２の規制部として機能する。
【０１３４】
次に、このような構成を有する本変形例のカートリッジセット３０の作用として、ホル
ダー２３に対する第１のカートリッジと第２のカートリッジの着脱作業について説明する
。
【０１３５】
本変形例において、カートリッジ３１〜３６（カートリッジセット３０）をホルダー２
３から取り外す場合は、ユーザーがレバー部２４を＋Ｘ方向に撓ませることによってカー
トリッジ３４の突起部３４ａとのＺ方向視での係合を解除する。この解除により、カート
リッジ３４はホルダー２３との係止状態が解除されるので、ユーザーはカートリッジ３４
をホルダー２３から抜き取る。このとき、カートリッジ３４の凸部３４ｅが凹部３１ｈ，
３２ｈ，３３ｈ，３５ｈ，３６ｈに挿入されたカートリッジ３１，３２，３３，３５，３
６は、凸部３４ｅによってカートリッジ３２に対するＺ方向の移動（相対移動）が規制さ
れているため、カートリッジ３４と同時に（一緒に）抜き取られてホルダー２３から取り
外される。その後、凹部３１ｈ，３２ｈ，３３ｈから＋Ｙ方向側の凸部３４ｅが抜き取ら
れることで、カートリッジ３４からカートリッジ３１，３２，３３が分離し、凹部３５ｈ
，３６ｈから−Ｙ方向側の凸部３４ｅが抜き取られることで、カートリッジ３４からカー
トリッジ３５，３６が分離する。
【０１３６】
一方、本変形例において、カートリッジ３１〜３６（カートリッジセット３０）をホル
ダー２３に装着する場合は、カートリッジ３４の＋Ｙ方向側の凸部３４ｅをカートリッジ
３３の凹部３３ｈ、カートリッジ３２の凹部３２ｈおよびカートリッジ３１の凹部３１ｈ
に順次挿入してカートリッジ３４とカートリッジ３１，３２，３３とを合体する。また、
カートリッジ３４の−Ｙ方向側の凸部３４ｅをカートリッジ３５の凹部３５ｈおよびカー
トリッジ３６の凹部３６ｈに順次挿入してカートリッジ３４とカートリッジ３５，３６と
を合体する。そしてカートリッジ３１，３２，３３，３５，３６が合体したカートリッジ
３４をホルダー２３の上方から−Ｚ方向側に挿入してレバー部２４と突起部３２ａとを係
止させ、ホルダー２３に装着する。このカートリッジ３４の装着により、カートリッジ３
１，３２，３３，３５，３６が同時にホルダー２３に装着される。
【０１３７】
上記図１７に示す第７実施形態の変形例によれば、１つのカートリッジ３４をホルダー
２３から取り外すことによって、他の５つのカートリッジ３１，３２，３３，３５，３６
をホルダー２３から同時に取り外すことができる。また、１つのカートリッジ３４をホル
ダー２３との間に設けられた第１の規制部によってホルダー２３に装着することによって
、同時に他の５つのカートリッジ３１，３２，３３，３５，３６をホルダー２３に装着す
ることができる。
【０１３８】
（第８実施形態のカートリッジセット）
本実施形態のカートリッジセット３０は、上記第５実施形態において上記第４実施形態
のカートリッジセット３０と同様の構成を備えたものである。本実施形態のカートリッジ
セット３０の構成について図を参照して説明する。なお、ここでの説明において、第４実
施形態（図１３参照）と同じ構成については、図面に同符号を付してその説明を適宜省略
する。
【０１３９】
図１８に示すように、本実施形態のカートリッジセット３０は、ホルダー２３に装着さ
れた状態からの取り外しがホルダー２３との間に設けられた第１の規制部によって規制さ
れる第１のカートリッジとして、カートリッジ３１とカートリッジ３４を有している。ま
た、ホルダー２３に装着された状態からの取り外しが、第１のカートリッジとの間に設け
られた第２の規制部によって規制される第２のカートリッジとして、カートリッジ３２と
カートリッジ３５を有している。さらに、ホルダー２３に装着された状態からの取り外し
が、第２のカートリッジとの間に設けられた第３の規制部によって規制される第３のカー
トリッジとして、カートリッジ３３とカートリッジ３６を有している。
【０１４０】
すなわち、カートリッジ３１は、その上部において、Ｘ方向に所定幅を有しＺ方向に所
定厚さを有して−Ｙ方向側に鍔状に突出する凸部３１ｅが形成されている。一方、カート
リッジ３２には、その上部において、Ｘ方向に所定長さを有しＺ方向に所定長さを有する
凹部３２ｈが、−Ｙ方向に所定深さを有する溝として形成されている。そして、カートリ
ッジ３１がホルダー２３に装着された状態で、カートリッジ３２は、その凹部３２ｈにカ
ートリッジ３１の凸部３１ｅが挿入されている。そして、凹部３２ｈに挿入された凸部３
１ｅは、カートリッジ３２とＺ方向視で重なるように係合し、カートリッジ３２のＺ方向
へのカートリッジ３１に対する移動（相対移動）を規制する。換言すれば、カートリッジ
３１の凸部３１ｅとカートリッジ３２の凹部３２ｈとが第２の規制部として機能し、カー
トリッジ３２をホルダー２３に直接係止されない状態でホルダー２３内に保持（装着）す
る。
【０１４１】
また、カートリッジ３２は、その上部において、Ｘ方向に所定幅を有しＺ方向に所定厚
さを有して−Ｙ方向側に鍔状に突出する凸部３２ｅが形成されている。一方、カートリッ
ジ３３には、その上部において、Ｘ方向に所定長さを有しＺ方向に所定長さを有する凹部
３３ｈが、−Ｙ方向に所定深さを有する溝として形成されている。そして、カートリッジ
３２がホルダー２３に装着された状態で、カートリッジ３３は、その凹部３３ｈにカート
リッジ３２の凸部３２ｅが挿入されている。凹部３３ｈに挿入された凸部３２ｅは、カー
トリッジ３２とＺ方向視で重なるように係合し、カートリッジ３３のＺ方向へのカートリ
ッジ３２に対する移動（相対移動）を規制する。換言すれば、カートリッジ３２の凸部３
２ｅとカートリッジ３３の凹部３３ｈとが第３の規制部として機能し、カートリッジ３３
をホルダー２３に直接係止されない状態でホルダー２３内に保持（装着）する。
【０１４２】
同様に、カートリッジ３４は、その上部において、Ｘ方向に所定幅を有しＺ方向に所定
厚さを有して−Ｙ方向側に鍔状に突出する凸部３４ｅが形成されている。一方、カートリ
ッジ３５には、その上部において、Ｘ方向に所定長さを有しＺ方向に所定長さを有する凹
部３５ｈが、−Ｙ方向に所定深さを有する溝として形成されている。そして、カートリッ
ジ３４がホルダー２３に装着された状態で、カートリッジ３５は、その凹部３５ｈにカー
トリッジ３４の凸部３４ｅが挿入されている。そして、凹部３５ｈに挿入された凸部３４
ｅは、カートリッジ３５とＺ方向視で重なるように係合し、カートリッジ３５のＺ方向へ
のカートリッジ３１に対する移動（相対移動）を規制する。換言すれば、カートリッジ３
１の凸部３１ｅとカートリッジ３２の凹部３２ｈとが第２の規制部として機能し、カート
リッジ３２をホルダー２３に直接係止されない状態でホルダー２３内に保持（装着）する
。
【０１４３】
また、カートリッジ３５は、その上部において、Ｘ方向に所定幅を有しＺ方向に所定厚
さを有して−Ｙ方向側に鍔状に突出する凸部３５ｅが形成されている。一方、カートリッ
ジ３６には、その上部において、Ｘ方向に所定長さを有しＺ方向に所定長さを有する凹部
３６ｈが、−Ｙ方向に所定深さを有する溝として形成されている。そして、カートリッジ
３５がホルダー２３に装着された状態で、カートリッジ３６は、その凹部３６ｈにカート
リッジ３５の凸部３５ｅが挿入されている。凹部３６ｈに挿入された凸部３５ｅは、カー
トリッジ３２とＺ方向視で重なるように係合し、カートリッジ３３のＺ方向へのカートリ
ッジ３２に対する移動（相対移動）を規制する。換言すれば、カートリッジ３５の凸部３
５ｅとカートリッジ３６の凹部３６ｈとが第３の規制部として機能し、カートリッジ３６
をホルダー２３に直接係止されない状態でホルダー２３内に保持（装着）する。
【０１４４】
次に、このような構成を有する本実施形態のカートリッジセット３０の作用として、第
１のカートリッジと第２のカートリッジと第３のカートリッジのホルダー２３に対する着
脱作業について説明する。なお、ここでは、第１のカートリッジ、第２のカートリッジお
よび第３のカートリッジをそれぞれ代表して、カートリッジ３１、カートリッジ３２およ
びカートリッジ３３の着脱作業について説明する。
【０１４５】
本実施形態において、カートリッジ３１〜３３（カートリッジセット３０）をホルダー
２３から取り外す場合は、ユーザーがレバー部２４を＋Ｘ方向に撓ませることによってカ
ートリッジ３１の突起部３１ａとのＺ方向視での係合を解除する。この解除により、カー
トリッジ３１はホルダー２３との係止状態が解除されるので、ユーザーはカートリッジ３
１をホルダー２３から抜き取る。このとき、カートリッジ３１の凸部３１ｅが凹部３２ｈ
に挿入されたカートリッジ３２と、カートリッジ３２の凸部３２ｅが凹部３３ｈに挿入さ
れたカートリッジ３３が、カートリッジ３１と同時に（一緒に）抜き取られてホルダー２
３から取り外される。その後、凹部３３ｈから凸部３２ｅが抜き取られることで、カート
リッジ３２からカートリッジ３３が分離し、さらに凹部３２ｈから凸部３１ｅが抜き取ら
れることで、カートリッジ３１からカートリッジ３２が分離する。
【０１４６】
一方、本実施形態において、カートリッジ３１〜３３（カートリッジセット３０）をホ
ルダー２３に装着する場合は、カートリッジ３１の凸部３１ｅをカートリッジ３２の凹部
３２ｈ挿入し、カートリッジ３２の凸部３２ｅをカートリッジ３３の凹部３３ｈに挿入し
て、カートリッジ３１，３２，３３を合体する。そして合体したカートリッジ３１，３２
，３３をホルダー２３の上方から−Ｚ方向側に挿入してレバー部２４とカートリッジ３１
の突起部３１ａとを係止させ、カートリッジ３１をホルダー２３に装着する。このカート
リッジ３１の装着により、カートリッジ３１，３２，３３が同時にホルダー２３に装着さ
れる。
【０１４７】
上記第８実施形態によれば、上記第４実施形態での効果（４）に加えて以下のような効
果を得ることができる。
（８）１つのカートリッジ３１をホルダー２３から取り外すことによって、他の２つの
カートリッジ３２，３３をホルダー２３から同時に取り外すことができる。また、１つの
カートリッジ３１をホルダー２３との間に設けられた第１の規制部によってホルダー２３
に装着することによって、同時に他の２つのカートリッジ３２，３３をホルダー２３に装
着することができる。
【０１４８】
（第９実施形態のカートリッジセット）
本実施形態のカートリッジセット３０は、上記第５実施形態の第２の規制部とは異なる
構成の第２の規制部を備えたものである。本実施形態のカートリッジセット３０の構成に
ついて図を参照して説明する。なお、ここでの説明において、第５実施形態（図１４参照
）と同じ構成については、図面に同符号を付してその説明を適宜省略する。
【０１４９】
図１９に示すように、本実施形態のカートリッジセット３０は、第５実施形態と同様、
ホルダー２３に装着された状態からの取り外しが、ホルダー２３との間に設けられた第１
の規制部によって規制される第１のカートリッジとして、カートリッジ３１とカートリッ
ジ３３とカートリッジ３５とを有している。そして、ホルダー２３に装着された状態から
の取り外しが、第１のカートリッジとの間に設けられた第２の規制部によって規制される
第２のカートリッジとして、カートリッジ３２とカートリッジ３４とカートリッジ３６と
を有している。
【０１５０】
カートリッジ３１，３３，３５には、その上部において、Ｘ方向に所定長さを有しＺ方
向に所定長さを有する凹部３１ｈ，３３ｈ，３５ｈが、＋Ｙ方向側に所定深さを有する溝
として形成されている。一方、カートリッジ３２，３４，３６には、その上部において、
Ｘ方向に所定長さを有しＺ方向に所定長さを有する凹部３２ｈ，３４ｈ，３６ｈが、−Ｙ
方向側に所定深さを有する溝として形成されている。そして、カートリッジ３２の凹部３
２ｈ内、カートリッジ３４の凹部３４ｈ内およびカートリッジ３６の凹部３６ｈ内に、そ
れぞれＹ方向にスライド可能な矩形板状のスライド部材３８が備えられている。このスラ
イド部材３８には、その上端部がカートリッジ３２，３４，３６の上面にそれぞれ設けら
れた矩形状の穴から突出する操作部３７が設けられている。
【０１５１】
この操作部３７をユーザーがＹ方向に移動させることで、スライド部材３８は、ホルダ
ー２３に装着されたカートリッジ３１，３３，３５の凹部３１ｈ，３３ｈ，３５ｈに対し
て、それぞれ挿入された状態と引き抜かれた状態との間で移動（変位）する。すなわち、
図１９に示すように、例えばカートリッジ３２において操作部３７が＋Ｙ方向へ移動した
状態では、スライド部材３８がカートリッジ３１の凹部３１ｈに対して挿入された状態と
なる。この状態は、スライド部材３８がＺ方向視で凹部３１ｈと重なるために、カートリ
ッジ３２のホルダー２３からの取り外しを規制する規制状態である。換言すれば、カート
リッジ３１，３３，３５の凹部３１ｈ，３３ｈ，３５ｈとカートリッジ３２，３４，３６
に備えられたスライド部材３８とが、それぞれ第２の規制部として機能する。そして、ス
ライド部材３８は、図１９において矢印で示すように、操作部３７によって−Ｙ方向側へ
移動することによって、第２の規制部は、カートリッジ３２，３４，３６のホルダー２３
からの取り外しを規制する規制状態から、ホルダー２３からの取り外しを許容する規制解
除状態に変位可能である。すなわち、操作部３７は、第２のカートリッジに設けられ、第
２の規制部を規制状態から規制解除状態に変位させる。
【０１５２】
次に、このような構成を有する本実施形態のカートリッジセット３０の作用として、ホ
ルダー２３に対する第１のカートリッジと第２のカートリッジの着脱作業について説明す
る。なお、ここでは、第１のカートリッジおよび第２のカートリッジをそれぞれ代表して
、カートリッジ３１およびカートリッジ３２の着脱作業について説明する。
【０１５３】
カートリッジ３１，３２がホルダー２３に装着された状態は、スライド部材３８がＺ方
向視で凹部３１ｈと重なったカートリッジ３２のホルダー２３からの取り外しが規制され
る規制状態となっている。この状態のまま、ユーザーがレバー部２４を＋Ｘ方向に撓ませ
ることによって、カートリッジ３１のホルダー２３との係止状態を解除し、カートリッジ
３１をホルダー２３から抜き取る。このとき、カートリッジ３２は、スライド部材３８が
カートリッジ３１の凹部３１ｈに挿入されているため、カートリッジ３１と同時に（一緒
に）抜き取られてホルダー２３から取り外される。その後、凹部３１ｈからスライド部材
３８が抜き取られることで、カートリッジ３１とカートリッジ３２は分離する。
【０１５４】
あるいは、ユーザーは操作部３７を−Ｙ方向に移動して、スライド部材３８をカートリ
ッジ３１の凹部３１ｈから抜き取る。これにより、カートリッジ３１によるカートリッジ
３２のホルダー２３からの取り外しの規制が解除されるので、ユーザーはカートリッジ３
１を取り外すことなくカートリッジ３２をホルダー２３から取り外すことができる。また
、カートリッジ３２をホルダー２３内に残した状態で、カートリッジ３１のみをホルダー
２３から取り外すことができる。
【０１５５】
カートリッジ３１，３２をホルダー２３に装着する場合、スライド部材３８をカートリ
ッジ３１の凹部３１ｈに挿入することによって、予めカートリッジ３１にカートリッジ３
２を合体させる。そしてカートリッジ３２が合体したカートリッジ３１をホルダー２３の
上方から−Ｚ方向側に挿入してレバー部２４と突起部３１ａとを係止させ、ホルダー２３
に装着する。この装着により、カートリッジ３１とカートリッジ３２とを同時にホルダー
２３に装着することができる。あるいは、操作部３７が−Ｙ方向側に位置する規制解除状
態にスライド部材３８が位置した状態でカートリッジ３２をホルダー２３に挿入する。そ
の後、ホルダー２３に装着されたカートリッジ３１に対して、操作部３７を＋Ｙ方向に移
動させてスライド部材３８を凹部３１ｈに挿入させることによってカートリッジ３２をホ
ルダーに装着することができる。
【０１５６】
上記第９実施形態によれば、上記第１実施形態での効果（１）に加えて以下のような効
果を得ることができる。
（５）カートリッジ３１（第１のカートリッジ）のホルダー２３に対する着脱作業によ
って同時に他のカートリッジ３２（第２のカートリッジ）のホルダー２３に対する着脱作
業を行うことが可能であるとともに、カートリッジ３１とカートリッジ３２を別々にホル
ダー２３に対して着脱可能である。
【０１５７】
上記第９実施形態のカートリッジセット３０において、上記第３実施形態のカートリッ
ジセット３０と同様の構成を備えてもよい。この第９実施形態の変形例のカートリッジセ
ット３０の構成について図を参照して説明する。なお、ここでの説明において、第９実施
形態と同じ構成については、図面に同符号を付してその説明を適宜省略する。
【０１５８】
図２０に示すように、本変形例のカートリッジセット３０は、その並び方向となるＹ方
向において両側が他のカートリッジによって挟まれたカートリッジ３２とカートリッジ３
５を、ホルダー２３に装着された状態からの取り外しがホルダー２３との間に設けられた
第１の規制部によって規制される第１のカートリッジとして有している。そして、カート
リッジ３２をその間に挟むカートリッジ３１，３３、およびカートリッジ３５をその間に
挟むカートリッジ３４，３６を、ホルダー２３に装着された状態からの取り外しが第１の
カートリッジとの間に設けられた第２の規制部によって規制される第２のカートリッジと
して有している。
【０１５９】
カートリッジ３２，３５には、その上部において、Ｘ方向に所定長さを有しＺ方向に所
定長さを有する凹部３２ｈ，３５ｈが、Ｙ方向に貫通する貫通孔として形成されている。
一方、カートリッジ３１，３４には、その上部において、Ｘ方向に所定長さを有しＺ方向
に所定長さを有する凹部３１ｈ，３４ｈが、＋Ｙ方向側に所定深さを有する溝として形成
されている。そして、カートリッジ３１の凹部３１ｈ内、およびカートリッジ３４の凹部
３４ｈ内に、それぞれＹ方向にスライド可能な矩形板状のスライド部材３８が備えられて
いる。このスライド部材３８には、その上端部がカートリッジ３１，３４の上面にそれぞ
れ設けられた矩形状の穴から突出する操作部３７が設けられている。また、カートリッジ
３３，３６には、その上部において、Ｘ方向に所定長さを有しＺ方向に所定長さを有する
凹部３１ｈ，３４ｈが、−Ｙ方向側に所定深さを有する溝として形成されている。そして
、カートリッジ３３の凹部３３ｈ内、およびカートリッジ３６の凹部３６ｈ内に、それぞ
れＹ方向にスライド可能な矩形板状のスライド部材３８が備えられている。このスライド
部材３８には、その上端部がカートリッジ３３，３６の上面にそれぞれ設けられた矩形状
の穴から突出する操作部３７が設けられている。
【０１６０】
この操作部３７をユーザーがＹ方向に移動させることで、スライド部材３８は、ホルダ
ー２３に装着されたカートリッジ３２，３５の凹部３２ｈ，３５ｈに対して、それぞれ挿
入された状態と引き抜かれた状態との間で移動（変位）する。すなわち、図２０に示すよ
うに、例えばカートリッジ３３において操作部３７が＋Ｙ方向へ移動した状態では、スラ
イド部材３８がカートリッジ３２の凹部３２ｈに対して挿入された状態となる。この状態
は、スライド部材３８がＺ方向視で凹部３２ｈと重なるために、カートリッジ３３のホル
ダー２３からの取り外しを規制する規制状態である。換言すれば、カートリッジ３２，３
５の凹部３２ｈ，３５ｈとカートリッジ３１，３３，３４，３６に備えられたスライド部
材３８とが、それぞれ第２の規制部として機能する。そして、スライド部材３８は、図２
０において矢印で示すように、操作部３７によって＋Ｙ方向あるいは−Ｙ方向側へ移動す
ることによって、第２の規制部は、カートリッジ３１，３３，３４，３６のホルダー２３
からの取り外しを規制する規制状態から、ホルダー２３からの取り外しを許容する規制解
除状態に変位可能である。すなわち、操作部３７は、第２のカートリッジに設けられ、第
２の規制部を規制状態から規制解除状態に変位させる。
【０１６１】
次に、このような構成を有する本実施形態のカートリッジセット３０の作用として、ホ
ルダー２３に対する第１のカートリッジと第２のカートリッジの着脱作業について説明す
る。なお、ここでは、第１のカートリッジおよび第２のカートリッジをそれぞれ代表して
、カートリッジ３２およびカートリッジ３１，３３の着脱作業について説明する。
【０１６２】
カートリッジ３１，３２，３３がホルダー２３に装着された状態は、スライド部材３８
がＺ方向視で凹部３２ｈと重なったカートリッジ３１，３３のホルダー２３からの取り外
しが規制される規制状態となっている。この状態のまま、ユーザーがレバー部２４を＋Ｘ
方向に撓ませることによって、カートリッジ３２のホルダー２３との係止状態を解除し、
カートリッジ３２をホルダー２３から抜き取る。このとき、カートリッジ３１，３３は、
スライド部材３８がカートリッジ３２の凹部３２ｈに挿入されているため、カートリッジ
３２と同時に（一緒に）抜き取られてホルダー２３から取り外される。その後、凹部３２
ｈからスライド部材３８が抜き取られることで、カートリッジ３１とカートリッジ３３は
カートリッジ３２から分離する。
【０１６３】
あるいは、ユーザーは操作部３７を＋Ｙ方向および−Ｙ方向にそれぞれ移動して、スラ
イド部材３８をカートリッジ３２の凹部３２ｈから抜き取る。これにより、カートリッジ
３２によるカートリッジ３１，３３のホルダー２３からの取り外しの規制が解除されるの
で、ユーザーはカートリッジ３２を取り外すことなくカートリッジ３１，３３をホルダー
２３から取り外すことができる。また、カートリッジ３１，３３をホルダー２３内に残し
た状態で、カートリッジ３２のみをホルダー２３から取り外すことができる。
【０１６４】
カートリッジ３１，３２，３３をホルダー２３に装着する場合、スライド部材３８をカ
ートリッジ３２の凹部３２ｈに挿入することによって、予めカートリッジ３２にカートリ
ッジ３１，３３を合体させる。そしてカートリッジ３１，３３が合体したカートリッジ３
２をホルダー２３の上方から−Ｚ方向側に挿入してレバー部２４と突起部３２ａとを係止
させ、ホルダー２３に装着する。この装着により、カートリッジ３１，３２，３３を同時
にホルダー２３に装着することができる。あるいは、操作部３７を移動させてスライド部
材３８が規制解除状態に位置した状態でカートリッジ３１，３３をホルダー２３に挿入す
る。その後、ホルダー２３に装着されたカートリッジ３２に対して、操作部３７を移動さ
せてスライド部材３８を凹部３２ｈに挿入させることによってカートリッジ３１，３３を
ホルダーに装着することができる。
【０１６５】
図２０に示す変形例によれば、カートリッジ３２（第１のカートリッジ）のホルダー２
３に対する着脱作業によって同時に他のカートリッジ３１，３３（第２のカートリッジ）
のホルダー２３に対する着脱作業を安定して行うことが可能である。また、カートリッジ
３１とカートリッジ３２を、カートリッジ３２とは別々にホルダー２３に対して着脱する
ことが可能である。
【０１６６】
あるいは、上記第９実施形態のカートリッジセット３０において、第２の規制部を構成
するスライド部材３８が第２のカートリッジではなく第１のカートリッジ側に備えられる
構成であってもよい。要するに、第２の規制部を規制状態から規制解除状態に変位させる
操作部は、第１のカートリッジおよび第２のカートリッジのいずれかに備えられる構成で
あればよい。この変形例のカートリッジセット３０の構成について図を参照して説明する
。なお、ここでの説明において、第９実施形態と同じ構成については、図面に同符号を付
してその説明を適宜省略する。
【０１６７】
図２１に示すように、本変形例のカートリッジセット３０は、ホルダー２３に装着され
た状態からの取り外しが、ホルダー２３との間に設けられた第１の規制部によって規制さ
れる第１のカートリッジとして、カートリッジ３１とカートリッジ３３とカートリッジ３
５とを有している。そして、ホルダー２３に装着された状態からの取り外しが、第１のカ
ートリッジとの間に設けられた第２の規制部によって規制される第２のカートリッジとし
て、カートリッジ３２とカートリッジ３４とカートリッジ３６とを有している。
【０１６８】
カートリッジ３２，３４，３６には、その上部において、Ｘ方向に所定長さを有しＺ方
向に所定長さを有する凹部３２ｈ，３４ｈ，３６ｈが、−Ｙ方向側に所定深さを有する溝
として形成されている。一方、カートリッジ３１，３３，３５には、その上部において、
Ｘ方向に所定長さを有しＺ方向に所定長さを有する凹部３１ｈ，３３ｈ，３５ｈが、＋Ｙ
方向側に所定深さを有する溝として形成されている。そして、カートリッジ３１の凹部３
１ｈ内、カートリッジ３３の凹部３３ｈ内およびカートリッジ３５の凹部３５ｈ内に、そ
れぞれＹ方向にスライド可能な矩形板状のスライド部材３８が備えられている。このスラ
イド部材３８には、その上端部がカートリッジ３１，３３，３５の上面にそれぞれ設けら
れた矩形状の穴から突出する操作部３７が設けられている。
【０１６９】
この操作部３７をユーザーがＹ方向に移動させることで、スライド部材３８は、ホルダ
ー２３に装着されたカートリッジ３２，３４，３６の凹部３２ｈ，３４ｈ，３６ｈに対し
て、それぞれ挿入された状態と引き抜かれた状態との間で移動（変位）する。すなわち、
図２１に示すように、例えばカートリッジ３１において操作部３７が−Ｙ方向へ移動した
状態では、スライド部材３８がカートリッジ３２の凹部３２ｈに対して挿入された状態と
なる。この状態は、スライド部材３８がＺ方向視で凹部３２ｈと重なるために、カートリ
ッジ３２のホルダー２３からの取り外しを規制する規制状態である。換言すれば、カート
リッジ３２，３４，３６の凹部３２ｈ，３４ｈ，３６ｈとカートリッジ３１，３３，３５
に備えられたスライド部材３８とが、それぞれ第２の規制部として機能する。そして、ス
ライド部材３８は、図２１において矢印で示すように、操作部３７によって＋Ｙ方向側へ
移動することによって、第２の規制部は、カートリッジ３２，３４，３６の、ホルダー２
３からの取り外しを規制する規制状態から、ホルダー２３からの取り外しを許容する規制
解除状態に変位可能である。すなわち、操作部３７は、第１のカートリッジに設けられ、
第２の規制部を規制状態から規制解除状態に変位させる。
【０１７０】
次に、このような構成を有する本実施形態のカートリッジセット３０の作用として、ホ
ルダー２３に対する第１のカートリッジと第２のカートリッジの着脱作業について説明す
る。なお、ここでは、第１のカートリッジおよび第２のカートリッジをそれぞれ代表して
、カートリッジ３１およびカートリッジ３２の着脱作業について説明する。
【０１７１】
カートリッジ３１，３２がホルダー２３に装着された状態は、スライド部材３８がＺ方
向視で凹部３２ｈと重なったカートリッジ３２のホルダー２３からの取り外しが規制され
る規制状態となっている。この状態のまま、ユーザーがレバー部２４を＋Ｘ方向に撓ませ
ることによって、カートリッジ３１のホルダー２３との係止状態を解除し、カートリッジ
３１をホルダー２３から抜き取る。このとき、カートリッジ３２は、スライド部材３８が
カートリッジ３２の凹部３２ｈに挿入されているため、カートリッジ３１と同時に（一緒
に）抜き取られてホルダー２３から取り外される。その後、凹部３２ｈからスライド部材
３８が抜き取られることで、カートリッジ３１とカートリッジ３２は分離する。
【０１７２】
あるいは、ユーザーは操作部３７を＋Ｙ方向に移動して、スライド部材３８をカートリ
ッジ３１の凹部３２ｈから抜き取る。これにより、カートリッジ３１によるカートリッジ
３２のホルダー２３からの取り外しの規制が解除されるので、ユーザーはカートリッジ３
１を取り外すことなくカートリッジ３２をホルダー２３から取り外すことができる。また
、カートリッジ３２をホルダー２３内に残した状態で、カートリッジ３１のみをホルダー
２３から取り外すことができる。
【０１７３】
カートリッジ３１，３２をホルダー２３に装着する場合、スライド部材３８をカートリ
ッジ３２の凹部３２ｈに挿入することによって、予めカートリッジ３１にカートリッジ３
２を合体させる。そしてカートリッジ３２が合体したカートリッジ３１をホルダー２３の
上方から−Ｚ方向側に挿入してレバー部２４と突起部３１ａとを係止させ、ホルダー２３
に装着する。この装着により、カートリッジ３１とカートリッジ３２とを同時にホルダー
２３に装着することができる。あるいは、操作部３７が＋Ｙ方向側に位置する規制解除状
態にスライド部材３８が位置した状態でカートリッジ３２をホルダー２３に挿入する。そ
の後、ホルダー２３に装着されたカートリッジ３１において、操作部３７を−Ｙ方向に移
動させてスライド部材３８を凹部３２ｈに挿入させることによってカートリッジ３２をホ
ルダーに装着することができる。
【０１７４】
図２１に示す変形例によれば、カートリッジ３１（第１のカートリッジ）のホルダー２
３に対する着脱作業によって同時に他のカートリッジ３２（第２のカートリッジ）のホル
ダー２３に対する着脱作業を行うことが可能である。また、カートリッジ３１とカートリ
ッジ３２を、カートリッジ３２とは別々にホルダー２３に対して着脱することが可能であ
る。さらに、ホルダー２３に直接係止されたカートリッジ３１に操作部３７が備えられる
ので、操作部３７を安定してＹ方向に移動させることができる。
【０１７５】
さらには、上記第９実施形態のカートリッジセット３０における第２の規制部の構成、
すなわちスライド部材と凹部とを用いた構成（図１９参照）を、上記第８実施形態での第
３の規制部の構成（図１８参照）に適用してもよい。すなわち、第３のカートリッジのホ
ルダー２３からの取り外しを規制する規制状態からホルダー２３からの取り外しを許容す
る規制解除状態に変位可能な第３の規制部を備えてもよい。そして、第２のカートリッジ
および第３のカートリッジの何れかに、この第３の規制部を規制状態から規制解除状態に
変位させる操作部が設けられることが好ましい。なお、ここでは本変形例を示す図は省略
する。
【０１７６】
本変形例については、例えば、図１８に示す構成において、第３のカートリッジである
カートリッジ３３，３６に設けられた凹部３３ｈ，３６ｈ内にＹ方向にスライド可能な矩
形板状のスライド部材３８を備える。さらに、カートリッジ３３，３６の上面に矩形状の
穴を設け、スライド部材３８に設けられた操作部３７をその矩形状の穴から突出させる。
そして、操作部３７が＋Ｙ方向に移動した状態において、スライド部材３８が第２のカー
トリッジであるカートリッジ３２，３５の凹部３２ｈ，３５ｈ内に挿入されるようにする
。したがって、本変形例では、カートリッジ３２，３５の凹部３２ｈ，３５ｈはＹ方向に
貫通する貫通孔とされる。
【０１７７】
あるいは、図１８に示す構成において、第２のカートリッジであるカートリッジ３２，
３３に設けられた凹部３２ｈ，３５ｈを貫通孔とし、この凹部３２ｈ，３５ｈ内にＹ方向
にスライド可能な矩形板状のスライド部材３８を備える。さらに、カートリッジ３２，３
５の上面に矩形状の穴を設け、スライド部材３８に設けられた操作部３７をその矩形状の
穴から突出させる。そして、操作部３７が−Ｙ方向に移動した状態において、スライド部
材３８が第３のカートリッジであるカートリッジ３３，３６の凹部３３ｈ，３６ｈ内に挿
入されるようにする。
【０１７８】
本変形例によれば、上記第９実施例の着脱作業および第８実施形態の着脱作業から明ら
かなように、第１のカートリッジのホルダー２３に対する着脱と同時に、他の第２のカー
トリッジおよび第３のカートリッジのホルダー２３に対する着脱行うことが可能である。
さらに、第３のカートリッジを、第２のカートリッジおよび第１のカートリッジとは別に
ホルダー２３に対して着脱することが可能である。
【０１７９】
（第１０実施形態のカートリッジセット）
上記第１実施形態のカートリッジセットにおいては、例えば、第１のカートリッジに設
けられた庇部と第２のカートリッジの上面とが規制部（第１の規制部）として機能して第
２のカートリッジのホルダー２３からの取り外しを規制する構成である。これに対して第
１０実施形態のカートリッジセット３０は、庇部がカートリッジの上面とは異なる部分と
Ｚ方向視で係合する構成の規制部によって、各カートリッジのホルダー２３からの取り外
しが規制される。
【０１８０】
次に、本実施形態のカートリッジセット３０の構成について図を参照して説明する。な
お、ここでの説明において、第１実施形態と同じ構成については、図面に同符号を付して
その説明を適宜省略する。
【０１８１】
図２２に示すように、本実施形態のカートリッジセット３０は、第１実施形態と同様、
ホルダー２３に装着された状態からの取り外しが、ホルダー２３との間に設けられた第１
の規制部によって規制される第１のカートリッジとして、カートリッジ３１とカートリッ
ジ３３とカートリッジ３５とを有している。また、ホルダー２３に装着された状態からの
取り外しが、第１のカートリッジとの間に設けられた第２の規制部によって規制される第
２のカートリッジとして、カートリッジ３２とカートリッジ３４とカートリッジ３６とを
有している。
【０１８２】
すなわち、カートリッジ３１には、その上端部において、Ｙ方向に所定幅を有しＺ方向
に所定厚さを有して＋Ｘ方向側に鍔状に突出する庇部３１ｃが形成されている。一方、カ
ートリッジ３２には、その上部において、略直方体形状で＋Ｘ方向に突出する突出部３２
ｆが形成されている。そして、カートリッジ３１がホルダー２３に装着された状態で、カ
ートリッジ３２は、その突出部３２ｆとカートリッジ３１の庇部３１ｃとがＺ方向視で重
なるように係合し、カートリッジ３２のホルダー２３からの取り外し方向となる＋Ｚ方向
への移動を規制する。換言すれば、カートリッジ３１の庇部３１ｃとカートリッジ３２の
突出部３２ｆとが第２の規制部として機能し、カートリッジ３２をホルダー２３に直接係
止しない状態でホルダー２３内に保持（装着）する。
【０１８３】
同様に、カートリッジ３３，３５には、その上端部において、Ｙ方向に所定幅を有しＺ
方向に所定厚さを有して＋Ｘ方向側に鍔状に突出する庇部３３ｃ，３５ｃが形成されてい
る。一方、カートリッジ３４，３６には、その上部において、略直方体形状で＋Ｘ方向に
突出する突出部３４ｆ，３６ｆが形成されている。そして、カートリッジ３３，３５がホ
ルダー２３に装着された状態で、カートリッジ３４，３６は、その突出部３４ｆ，３６ｆ
とカートリッジ３３，３５の庇部３３ｃ，３５ｃとがＺ方向視で重なるように係合し、カ
ートリッジ３４，３６のホルダー２３からの取り外し方向となる＋Ｚ方向への移動を規制
する。換言すれば、カートリッジ３３，３５の庇部３３ｃ，３５ｃとカートリッジ３４，
３６の突出部３４ｆ，３６ｆとが第２の規制部として機能し、カートリッジ３２をホルダ
ー２３に直接係止しない状態でホルダー２３内に保持（装着）する。
【０１８４】
このような構成を有する本実施形態のカートリッジセット３０の作用としてのホルダー
２３に対する第１のカートリッジと第２のカートリッジの着脱作業については、上記第１
実施形態での第１のカートリッジと第２のカートリッジの着脱作業と同様である。したが
って、ここでは説明を省略する。
【０１８５】
上記第１０実施形態によれば、上記第１実施形態での効果（１）に加えて次の効果を得
ることができる。すなわち、カートリッジ３２（第２のカートリッジ）の上面が庇部３１
ｃによって覆われないので、カートリッジ３２のＺ方向の長さをカートリッジ３１（第１
のカートリッジ）と同じ長さとすることができる。したがって、第１のカートリッジと第
２のカートリッジとの間で、収容可能なインクの液量の差異を抑制することができる。
【０１８６】
なお、上記第１０実施形態のカートリッジセット３０において、１つの第１のカートリ
ッジが複数の第２のカートリッジのホルダー２３からの取り外しを規制する構成であって
もよい。例えば、複数のカートリッジの並び方向であるＹ方向において、上記第３実施形
態と同様に、第１のカートリッジを挟んで装着される第２のカートリッジ、つまりＹ方向
において第１のカートリッジの両側に位置する２つの第２のカートリッジのホルダー２３
からの取り外しを規制する構成としてもよい。
【０１８７】
この変形例のカートリッジセット３０の構成について、図を参照して説明する。なお、
ここでの説明において、第３実施形態と同じ構成については、図面に同符号を付してその
説明を適宜省略する。
【０１８８】
図２２に示すように、本実施形態のカートリッジセット３０は、その並び方向となるＹ
方向において両側が他のカートリッジによって挟まれたカートリッジ３２とカートリッジ
３５を、ホルダー２３に装着された状態からの取り外しがホルダー２３との間に設けられ
た第１の規制部によって規制される第１のカートリッジとして有している。そして、カー
トリッジ３２をその間に挟むカートリッジ３１，３３、およびカートリッジ３５をその間
に挟むカートリッジ３４，３６を、ホルダー２３に装着された状態からの取り外しが第１
のカートリッジとの間に設けられた第２の規制部によって規制される第２のカートリッジ
として有している。すなわち、本実施形態では、カートリッジ３２が２つのカートリッジ
３１，３３に対してホルダー２３からの取り外しを規制し、カートリッジ３５が２つのカ
ートリッジ３４，３６に対してホルダー２３からの取り外しを規制する。
【０１８９】
すなわち、カートリッジ３２には、その上端部において、Ｙ方向に所定幅を有しＺ方向
に所定厚さを有して＋Ｘ方向側に鍔状に突出する庇部３２ｃが形成されている。一方、カ
ートリッジ３１，３３には、その上部において、略直方体形状で＋Ｘ方向側に突出する突
出部３１ｆ，３３ｆが形成されている。そして、カートリッジ３２がホルダー２３に装着
された状態で、カートリッジ３１，３３は、その突出部３１ｆ，３３ｆとカートリッジ３
２の庇部３２ｃとがＺ方向視で重なるように係合し、カートリッジ３１，３３のホルダー
２３からの取り外し方向となる＋Ｚ方向への移動を規制する。換言すれば、カートリッジ
３２の庇部３２ｃとカートリッジ３１，３３の突出部３１ｆ，３３ｆとが第２の規制部と
して機能し、カートリッジ３１，３３をホルダー２３に直接係止しない状態でホルダー２
３内に保持（装着）する。
【０１９０】
同様に、カートリッジ３５には、その上端部において、Ｙ方向に所定幅を有しＺ方向に
所定厚さを有して＋Ｘ方向側に鍔状に突出する庇部３５ｃが形成されている。一方、カー
トリッジ３４，３６には、その上部において、略直方体形状で＋Ｘ方向側に突出する突出
部３４ｆ，３６ｆが形成されている。そして、カートリッジ３２がホルダー２３に装着さ
れた状態で、カートリッジ３４，３６は、その突出部３４ｆ，３６ｆとカートリッジ３５
の庇部３５ｃとがＺ方向視で重なるように係合し、カートリッジ３４，３６のホルダー２
３からの取り外し方向となる＋Ｚ方向への移動を規制する。換言すれば、カートリッジ３
５の庇部３５ｃとカートリッジ３４，３６の突出部３４ｆ，３６ｆとが第２の規制部とし
て機能し、カートリッジ３４，３６をホルダー２３に直接係止しない状態でホルダー２３
内に保持（装着）する。
【０１９１】
このような構成を有する本実施形態のカートリッジセット３０の作用としてのホルダー
２３に対する第１のカートリッジと第２のカートリッジの着脱作業については、上記第３
実施形態での第１のカートリッジと第２のカートリッジの着脱作業と同様である。したが
って、ここでは説明を省略する。
【０１９２】
図２３に示す上記第１０実施形態の変形例によれば、上記第３実施形態での効果（３）
に加えて次の効果を得ることができる。すなわち、カートリッジ３１，３３（第２のカー
トリッジ）の上面が庇部３２ｃによって覆われないので、カートリッジ３１，３３のＺ方
向の長さをカートリッジ３２（第１のカートリッジ）と同じ長さとすることができる。し
たがって、第１のカートリッジと第２のカートリッジとの間で、収容可能なインクの液量
の差異を抑制することができる。
【０１９３】
上記の第１〜第４実施形態において、第２のカートリッジの上面を覆う庇部は、必ずし
も、カートリッジの上端部において−Ｙ方向側に延出形成されたものでなくてもよい。こ
の変形例を、上記第３実施形態の変形例に適用した構成について、図を参照して説明する
。なお、ここでの説明において、第３実施形態の変形例（図１２参照）と同じ構成につい
ては、図面に同符号を付してその説明を適宜省略する。
【０１９４】
図２４に示すように、本変形例では、第１のカートリッジとしてのカートリッジ３３に
対して、Ｘ方向およびＹ方向にそれぞれ所定長さを有しＺ方向に所定厚さを有する板部材
４０が、図２４において網掛け部分で示すように、その上面の少なくとも一部と接着等に
よって接合された接合部４１によって固定されている。この板部材４０によって、他のカ
ートリッジ３１，３２，３４，３５，３６は、その上方の少なくとも一部が覆われる。こ
のため、カートリッジ３１，３２，３４，３５，３６は、Ｚ方向視で重なるように係合す
るその上面と板部材４０とが第２の規制部となり、ホルダー２３からの取り外し方向とな
る＋Ｚ方向への移動が規制される。
【０１９５】
図２４に示す変形例によれば、カートリッジにおいて予め庇部を形成することなく、６
つのカートリッジのうちの任意のカートリッジに板部材４０を固定することによって、そ
の板部材４０を固定したカートリッジを第１のカートリッジとすることができる。また、
６つのカートリッジについて互いに同じ形状のカートリッジを採用することができるので
、カートリッジの製造コストの上昇を抑制できる。
【０１９６】
また、上記第１〜第１０実施形態は、以下のような別の実施形態に変更してもよい。
・上記第１〜第４実施形態において、庇部によって上面が覆われるカートリッジにおい
て、その上面に、上面を覆う庇部に応じた形状の凹みが形成されていてもよい。
【０１９７】
・上記第５〜第８実施形態（第７実施形態の変形例を除く）において、第２の規制部を
構成する凸部を第１のカートリッジから突出形成せず、第２のカートリッジから突出形成
するようにしてもよい。そして、この場合、第２の規制部を構成する凹部を、第２のカー
トリッジではなく第１のカートリッジに形成する。さらに、第８実施形態において、第３
の規制部を構成する凸部を第２のカートリッジから突出形成せず、第３のカートリッジか
ら突出形成するようにしてもよい。そして、この場合、第３の規制部を構成する凹部は、
第２のカートリッジに設けられる。
【０１９８】
・上記第７実施形態およびその変形例において、第１のカートリッジに形成された−Ｙ
方向側に鍔状に突出する凸部の形状と−Ｙ方向側に鍔状に突出する凸部の形状とが、互い
に異なる形状であってもよい。例えば、Ｘ方向の幅（長さ）が異なる形状としてもよい。
こうすれば、第１のカートリッジに対して、その＋Ｙ方向側に位置する第２のカートリッ
ジとその−Ｙ方向側に位置する第２のカートリッジとを特定することができる。
【０１９９】
・上記第１〜第９実施形態において、第２のカートリッジあるいは第３のカートリッジ
については、−Ｘ方向側に被支持部としての突出部が形成されなくてもよい。例えば、第
２のカートリッジが、第１のカートリッジに形成されたＸ方向に所定幅を有する庇部によ
ってホルダー２３内に安定して保持（装着）される場合は、被支持部は不要である。また
、第３のカートリッジが、第２のカートリッジに形成されたＸ方向に所定幅を有する庇部
によってホルダー２３内に安定して保持（装着）される場合は、被支持部は不要である。
なお、この場合は、第２のカートリッジあるいは第３のカートリッジに対応する支持部と
しての穴部２５はホルダー２３に設けられなくてもよい。
【０２００】
・上記第１実施形態のカートリッジセットの構成から第１０実施形態のカートリッジセ
ットの構成（実施形態の変形例のカートリッジセットの構成を含む）のうち、少なくとも
２つの構成を組み合わせた構成のカートリッジセットとしてもよい。
【０２０１】
例えば、上記第３実施形態の構成と上記第７実施形態の構成とを有するカートリッジセ
ットとしてもよい。すなわち、図１１に示す構成のカートリッジ３１，３２，３３と、図
１６に示す構成のカートリッジ３４，３５，３６とを組み合わせたカートリッジセット３
０としてもよい。あるいは、上記第１実施形態の構成と上記第５実施形態の構成とを有す
るカートリッジセットとしてもよい。すなわち、図２（図３）に示す構成の各カートリッ
ジのうち、カートリッジ３１，３２を図１４に示す構成のカートリッジ３１，３２として
もよい。他にも、組み合わせが可能な構成であれば、各実施形態（変形例を含む）を任意
に組み合わせたカートリッジセットとしてもよい。
【０２０２】
・上記実施形態の液体噴射装置１１のホルダー２３に対して着脱可能なカートリッジセ
ット３０は６つのカートリッジを有する構成としたが、これに限らない。例えばカートリ
ッジセット３０は、７つ以上のカートリッジを有する構成でも良いし、５つ以下の複数の
カートリッジを有する構成であってもよい。
【０２０３】
・上記実施形態において、液体噴射装置１１は、用紙Ｐの搬送方向と交差する主走査方
向に往復移動するキャリッジ２１にヘッド２２を備える所謂シリアルヘッド方式の構成に
限らない。例えば、用紙Ｐの搬送方向と交差（直交）する幅方向の略全域に渡ってインク
を吐出可能なヘッド２２を備える所謂ラインヘッド方式の構成であってもよい。
【０２０４】
・上記実施形態において、液体噴射装置１１は、インク以外の他の流体（液体や、機能
材料の粒子が液体に分散又は混合されてなる液状体、ゲルのような流状体、流体として流
して吐出できる固体を含む）を吐出したり噴射したりして印刷を行う流体吐出装置であっ
てもよい。例えば、液晶ディスプレイ、ＥＬ（エレクトロルミネッセンス）ディスプレイ
及び面発光ディスプレイの製造などに用いられる電極材や色材（画素材料）などの材料を
分散または溶解のかたちで含む液状体を吐出して印刷を行う流体吐出装置であってもよい
。また、ゲル（例えば物理ゲル）などの流状体を吐出する流体吐出装置であってもよい。
そして、これらのうちいずれか一種の流体吐出装置に本発明を適用することができる。な
お、本明細書において「流体」とは、気体のみからなる流体を含まない概念であり、流体
には、例えば液体（無機溶剤、有機溶剤、溶液、液状樹脂、液状金属（金属融液）等を含
む）、液状体、流状体などが含まれる。
【符号の説明】
【０２０５】
１１…液体噴射装置、２３…カートリッジホルダー、２９…インク受給部、３０…カー
トリッジセット、３１，３２，３３，３４，３５，３６…カートリッジ、３１ｃ，３３ｃ
，３５ｃ…庇部（第２の規制部の一例）、３１ａ，３３ａ，３５ａ…突起部（第１の規制
部の一例）、３７…操作部、３９…インク供給部。
【図１】
2018062066.tif 000003
【図２】
2018062066.tif 000004
【図３】
2018062066.tif 000005
【図４】
2018062066.tif 000006
【図５】
2018062066.tif 000007
【図６】
2018062066.tif 000008
【図７】
2018062066.tif 000009
【図８】
2018062066.tif 000010
【図９】
2018062066.tif 000011
【図１０】
2018062066.tif 000012
【図１１】
2018062066.tif 000013
【図１２】
2018062066.tif 000014
【図１３】
2018062066.tif 000015
【図１４】
2018062066.tif 000016
【図１５】
2018062066.tif 000017
【図１６】
2018062066.tif 000018
【図１７】
2018062066.tif 000019
【図１８】
2018062066.tif 000020
【図１９】
2018062066.tif 000021
【図２０】
2018062066.tif 000022
【図２１】
2018062066.tif 000023
【図２２】
2018062066.tif 000024
【図２３】
2018062066.tif 000025
【図２４】
2018062066.tif 000026